(57)【要約】  複数の送信ポイントを有する先進ネットワーク（例えば、４Ｇ、５Ｇ及びそれ以降）における向上した性能の促進が本明細書において提供される。システムの動作は、ユーザー機器デバイスへの第１の送信のそれぞれのランクのためのそれぞれのポート番号を特定することを含み得る。動作は、第２のネットワークデバイスから、第２のネットワークデバイスからユーザー機器デバイスへの第２の送信のランクのためのポート番号に関連付けられる第１の復調基準信号の指示を受信することも含み得る。更に、動作は、ユーザー機器デバイスへの第１の送信の伝達を容易にすることを含み得る。第１の送信は、第２の送信に関連付けられるポート番号と異なるポート番号に関する第２の復調基準信号を含み得る。【選択図】図１
2022501932.tif 000002
【特許請求の範囲】
【請求項１】
第１のネットワークデバイスであって、
プロセッサと、
前記プロセッサによって実行されると、動作の実行を容易にする実行可能命令を記憶するメモリとを含み、前記動作は、
ユーザー機器デバイスへの第１の送信のそれぞれのランクのためのそれぞれのポート番号を特定することと、
第２のネットワークデバイスから、前記第２のネットワークデバイスから前記ユーザー機器デバイスへの第２の送信のランクのためのポート番号に関連付けられる第１の復調基準信号の指示を受信することと、
前記ユーザー機器デバイスへの前記第１の送信の伝達を容易にすることであって、前記第１の送信は、前記第２の送信に関連付けられる前記ポート番号と異なるポート番号に関する第２の復調基準信号を含む、容易にすることと
を含む、第１のネットワークデバイス。
【請求項２】
前記指示を受信することは、Ｘ２通信プロトコルを介して前記指示を受信することを更に含む、請求項１に記載の第１のネットワークデバイス。
【請求項３】
前記第２の復調基準信号は、前記第１の復調基準信号と干渉しないように選択される、請求項１に記載の第１のネットワークデバイス。
【請求項４】
前記動作は、前記第１の送信の前記それぞれのランクのための前記それぞれのポート番号を示す情報を前記第２のネットワークデバイスに送信することを更に含む、請求項１に記載の第１のネットワークデバイス。
【請求項５】
前記第１の復調基準信号は、前記第２の復調基準信号と異なるリソース要素に配置される、請求項１に記載の第１のネットワークデバイス。
【請求項６】
前記第２のネットワークデバイスからの前記指示は、前記第２のネットワークデバイスの第１のトラフィック負荷に関する情報を含み、前記動作は、前記第２のネットワークデバイスの前記第１のトラフィック負荷と、前記第１のネットワークデバイスの第２のトラフィック負荷との間の差に基づいて、前記ポート番号に関する前記第２の復調基準信号をスケジュール設定することを更に含む、請求項１に記載の第１のネットワークデバイス。
【請求項７】
前記第２のネットワークデバイスからの前記指示は、前記第２のネットワークデバイスの第１のチャネル状態情報基準信号に関連付けられるリソース要素の第１のグループに関する情報を含み、前記動作は、リソース要素の前記第１のグループに対応するリソース要素の第２のグループにおいてゼロ電力を有するように第２のチャネル状態情報基準信号を構成することを更に含む、請求項１に記載の第１のネットワークデバイス。
【請求項８】
前記第２のネットワークデバイスからの前記指示は、前記第２のネットワークデバイスの第１の位相追跡基準信号に関連付けられるリソース要素の第１のグループに関する情報を含み、前記動作は、リソース要素の前記第１のグループに対応するリソース要素の前記第２のグループにおいてゼロ電力を有するようにチャネル状態情報基準信号を構成することを更に含む、請求項１に記載の第１のネットワークデバイス。
【請求項９】
前記ユーザー機器デバイスへの前記第１の送信の前記伝達を前記容易にすることは、第５世代無線ネットワーク通信プロトコルに従って動作するように構成されるダウンリンクチャネルを介して前記第１の送信の前記伝達を容易にすることを含む、請求項１に記載の第１のネットワークデバイス。
【請求項１０】
通信ネットワーク内のネットワークデバイスのグループの第１のネットワークデバイスにより、ランクのグループのランクのためのそれぞれのポート番号を特定することであって、前記第１のネットワークデバイスは、プロセッサを含む、特定することと、
前記第１のネットワークデバイスにより、前記ランクのグループの前記ランクのためのそれぞれの復調基準信号ポートを示す情報を受信することであって、前記情報は、第２のネットワークデバイスから受信される、受信することと、
前記第１のネットワークデバイスにより、モバイルデバイスに、前記モバイルデバイスが前記それぞれのポート番号でスケジュール設定されることに基づいてデータを送信することと
を含む方法。
【請求項１１】
前記第１のネットワークデバイスにより、前記ランクのグループの前記ランクのための前記それぞれのポート番号の指示を前記第２のネットワークデバイスに送信することを更に含む、請求項１０に記載の方法。
【請求項１２】
前記第１のネットワークデバイスにより、前記第２のネットワークデバイスの送信との準静的協調を実行することと、
前記第１のネットワークデバイスにより、前記準静的協調を前記実行することに基づいて復調基準信号への干渉を低減することと
を更に含む、請求項１１に記載の方法。
【請求項１３】
前記それぞれのポート番号を前記特定することは、利用可能なポートをポートの２つのグループに分割することを含む、請求項１０に記載の方法。
【請求項１４】
前記第１のネットワークデバイスにより、前記第２のネットワークデバイスによる使用のために前記それぞれの復調基準信号ポートのリソース要素を予約することを更に含む、請求項１０に記載の方法。
【請求項１５】
前記第１のネットワークデバイスは、前記それぞれの復調基準信号ポートの前記リソース要素上でデータ送信をスケジュール設定することを回避する、請求項１４に記載の方法。
【請求項１６】
前記第１のネットワークデバイスにより、前記ランクのグループの前記ランクのための前記それぞれのポート番号で前記モバイルデバイスをスケジュール設定することを更に含む、請求項１０に記載の方法。
【請求項１７】
前記データを前記送信することは、第５世代無線ネットワーク通信プロトコルに従って動作するように構成されるダウンリンクチャネルを介して前記データを送信することを含む、請求項１０に記載の方法。
【請求項１８】
プロセッサによって実行されると、動作の実行を容易にする実行可能命令を含む機械可読記憶媒体であって、前記動作は、
モバイルデバイスへの第１の送信のそれぞれのランクのためのそれぞれのポート番号を特定することと、
第２のネットワークデバイスから、前記モバイルデバイスへの第２の送信のランクのためのポート番号に関連付けられる第１の復調基準信号の指示を受信することであって、前記指示は、ネットワークデバイスから受信される、受信することと、
前記モバイルデバイスに前記第１の送信を送信することであって、前記第１の送信は、前記第２の送信に関連付けられる前記ポート番号と異なるポート番号に関する第２の復調基準信号を含む、送信することと
を含む、機械可読記憶媒体。
【請求項１９】
前記第２の復調基準信号は、前記第１の復調基準信号との干渉を回避するように選択される、請求項１８に記載の機械可読記憶媒体。
【請求項２０】
前記第１の復調基準信号は、前記第２の復調基準信号と異なるリソース要素に配置される、請求項１９に記載の機械可読記憶媒体。
【発明の詳細な説明】
【技術分野】
【０００１】
関連出願の相互参照
本出願は、２０１９年６月１３日に出願された「ＦＡＣＩＬＩＴＡＴＩＮＧ  ＩＭＰＲＯＶＥＤ  ＰＥＲＦＯＲＭＡＮＣＥ  ＩＮ  ＡＤＶＡＮＣＥＤ  ＮＥＴＷＯＲＫＳ  ＷＩＴＨ  ＭＵＬＴＩＰＬＥ  ＴＲＡＮＳＭＩＳＳＩＯＮ  ＰＯＩＮＴＳ」という名称の米国非仮特許出願米国特許出願公開第１６／４４０，８６５号明細書及び２０１８年９月２８日に出願された「ＩＭＰＲＯＶＥＤ  ＰＥＲＦＯＲＭＡＮＣＥ  ＩＮ  ５Ｇ  ＷＩＲＥＬＥＳＳ  ＣＯＭＭＵＮＩＣＡＴＩＯＮＳ  ＳＹＳＴＥＭＳ  ＷＩＴＨ  ＭＵＬＴＩＰＬＥ  ＴＲＡＮＳＭＩＳＳＩＯＮ  ＰＯＩＮＴＳ」という名称の米国仮特許出願第６２／７３８，５９７号明細書の利益を主張するものであり、前述の出願の全体が参照により本明細書に組み込まれる。
【０００２】
本開示は、概して、移動体通信の分野に関し、より詳細には、複数の伝送ポイントを含む先進ネットワーク（例えば、４Ｇ、５Ｇ及びそれ以降）のための無線通信システムにおける周波数及び／又は時間領域リソースの割り当てに関する。
【背景技術】
【０００３】
データセントリックアプリケーションに関する莫大な需要を満たすために、第３世代パートナーシッププロジェクト（３ＧＰＰ）システム及び無線通信に関する第４世代（４Ｇ）規格の仕様の１つ以上の態様を利用するシステムは、無線通信に関する第５世代（５Ｇ）規格に拡張されることになる。無線通信に関する今後の５Ｇ又は他の次世代ネットワーク規格に関連付けられるサービスレベルを提供するには、特有の課題がある。
【発明の概要】
【課題を解決するための手段】
【０００４】
種々の例示的で非限定的な実施形態は、添付の図面を参照して更に説明される。
【図面の簡単な説明】
【０００５】
【図１】本明細書中に説明する１つ以上の実施形態による非限定的な無線通信システムを示す。
【図２】本明細書中に説明する１つ以上の実施形態による、ダウンリンクデータ転送を容易にすることができる例示的で非限定的なメッセージシーケンスフローチャートを示す。
【図３】本明細書中に説明する１つ以上の実施形態による、復調基準信号を有する多入力多出力システムの例示的で非限定的なシステム図を示す。
【図４】Ａ−Ｄは本明細書中に説明する１つ以上の実施形態による、最大４つのアンテナポートのための復調基準信号構造に対するリソースマッピングの非限定的な例を示す。
【図５】１つのリソースブロックのための位相追跡基準構造に対する例示的で非限定的なリソースマッピングを示す。
【図６】基準信号を追跡するための例示的で非限定的なリソースマッピングを示す。
【図７】本明細書中に説明する１つ以上の実施形態による、複数の送信ポイントを有する先進ネットワークにおけるダウンリンクデータ転送のための例示的で非限定的なメッセージシーケンスフローチャートを示す。
【図８】本明細書中に説明する１つ以上の実施形態による、先進ネットワークのための複数の送信ポイント間の準静的協調のための例示的で非限定的なコンピューター実装方法のフロー図を示す。
【図９】本明細書中に説明する１つ以上の実施形態による、複数の送信ポイントを含む先進ネットワークにおける性能の向上を促進するための例示的で非限定的なシステムを示す。
【図１０】本明細書中に説明する１つ以上の実施形態による、複数の送信ポイントを有する先進ネットワークにおける向上した性能を促進するための例示的で非限定的なコンピューター実装方法のフロー図を示す。
【図１１】本明細書中に説明する種々の態様による、モバイルネットワークプラットフォームの非限定的な実施形態の例示的なブロック図を示す。
【図１２】本明細書中に説明する１つ以上の実施形態による、無線通信を容易にするシステムアーキテクチャに関与するように動作可能である例示的なモバイルハンドセットの例示的なブロック図を示す。
【図１３】本明細書中に説明する１つ以上の実施形態による、無線通信を容易にするシステムアーキテクチャに関与するように動作可能である例示的なコンピューターの例示的なブロック図を示す。
【発明を実施するための形態】
【０００６】
ここで、１つ以上の実施形態は、例示的な実施形態が示されている添付の図面を参照して以下でより詳細に説明される。以下の説明では、種々の実施形態の十分な理解を提供するために、説明の目的上、多くの具体的な詳細が記述される。しかしながら、これらの具体的な詳細を用いることなく（且つ任意の特定のネットワーク化された環境又は規格に適用することなく）、種々の実施形態を実施できる。
【０００７】
本明細書中に説明するのは、複数の送信ポイントを有する先進ネットワークにおける向上した性能を促進することができるシステム、方法、製品及び他の実施形態又は実装形態である。本明細書中でより詳細に説明するのは、無線通信システムに関する及び先進ネットワークにおける干渉を低減する基準信号を調整することに関する態様である。
【０００８】
データセントリックアプリケーションに対する莫大な需要を満たすために、４Ｇ規格を、Ｎｅｗ  Ｒａｄｉｏ（ＮＲ）アクセスとも呼ばれる５Ｇに適用することができる。５Ｇネットワークは、数万人のユーザーのためにサポートされる数十メガビット／秒のデータレート、同じオフィスフロアにいる数十人の労働者に同時に（又は同時的に）提供することができる１ギガビット／秒、マッシブセンサー展開のためにサポートすることができる数十万の同時（又は同時的）接続、４Ｇと比較して高めることができるスペクトル効率、改善されたカバレッジ、高められたシグナリング効率、及びロングタームエボリューション（ＬＴＥ）と比較して低減されたレイテンシーを含むことができる。
【０００９】
多入力多出力（ＭＩＭＯ）システムは、無線システムのデータ搬送容量を大幅に向上させることができる。これらの理由から、ＭＩＭＯは、第３世代及び第４世代の無線システム（例えば、３Ｇ及び４Ｇ）の不可欠な部分である。加えて、５Ｇシステムは、大規模ＭＩＭＯシステム（例えば、送信機側（例えば、ネットワーク）及び／受信機側（例えば、ユーザー機器）における数百のアンテナ）と称するＭＩＭＯシステムも採用している。（Ｎｔ，Ｎｒ）システム（ここで、Ｎｔは、送信アンテナの数を意味し、Ｎｒは、受信アンテナの数を意味する）では、ピークデータレートは、リッチな散乱環境においてシングルアンテナシステムに比べてＮｔ倍になる。
【００１０】
一実施形態によれば、プロセッサと、プロセッサによって実行されると、動作の実行を容易にする実行可能命令を記憶するメモリとを含み得るシステムが提供される。動作は、ユーザー機器デバイスへの第１の送信のそれぞれのランクのためのそれぞれのポート番号を特定することを含み得る。動作は、第２のネットワークデバイスから、第２のネットワークデバイスからユーザー機器デバイスへの第２の送信のランクのためのポート番号に関連付けられる第１の復調基準信号の指示を受信することも含み得る。更に、動作は、ユーザー機器デバイスへの第１の送信の伝達を容易にすることを含み得る。第１の送信は、第２の送信に関連付けられるポート番号と異なるポート番号に関する第２の復調基準信号を含み得る。
【００１１】
幾つかの実装形態によれば、指示を受信することは、Ｘ２通信プロトコルを介して指示を受信することを含み得る。幾つかの実装形態において、第２の復調基準信号は、第１の復調基準信号と干渉しないように選択され得る。動作は、幾つかの実装形態によれば、第１の送信のそれぞれのランクのためのそれぞれのポート番号を示す情報を第２のネットワークデバイスに送信することを含み得る。一例において、第１の復調基準信号は、第２の復調基準信号と異なるリソース要素に配置され得る。
【００１２】
幾つかの実装形態によれば、第２のネットワークデバイスからの指示は、第２のネットワークデバイスの第１のトラフィック負荷に関する情報を含み得る。これらの実装形態に加えて、動作は、第２のネットワークデバイスの第１のトラフィック負荷と、第１のネットワークデバイスの第２のトラフィック負荷との間の差に基づいて、ポート番号に関する第２の復調基準信号をスケジュール設定することを含み得る。
【００１３】
幾つかの実装形態によれば、第２のネットワークデバイスからの指示は、第２のネットワークデバイスの第１のチャネル状態情報基準信号に関連付けられるリソース要素の第１のグループに関する情報を含み得る。これらの実装形態に加えて、動作は、リソース要素の第１のグループに対応するリソース要素の第２のグループにおいてゼロ電力を有するように第２のチャネル状態情報基準信号を構成することを含み得る。
【００１４】
第２のネットワークデバイスからの指示は、第２のネットワークデバイスの第１の位相追跡基準信号に関連付けられるリソース要素の第１のグループに関する情報を含み得る。この実装形態に加えて、動作は、リソース要素の第１のグループに対応するリソース要素の第２のグループにおいてゼロ電力を有するようにチャネル状態情報基準信号を構成することを含み得る。
【００１５】
更に、ユーザー機器デバイスへの第１の送信の伝達を容易にすることは、第５世代無線ネットワーク通信プロトコルに従って動作するように構成されるダウンリンクチャネルを介して第１の送信の伝達を容易にすることを含み得る。
【００１６】
別の実施形態は、通信ネットワーク内のネットワークデバイスのグループの第１のネットワークデバイスにより、ランクのグループのランクのためのそれぞれのポート番号を特定することを含み得る方法に関し得、ここで、第１のネットワークデバイスは、プロセッサを含む。方法は、第１のネットワークデバイスにより、ランクのグループのランクのためのそれぞれの復調基準信号ポートを示す情報を受信することも含み得、ここで、情報は、第２のネットワークデバイスから受信される。更に、方法は、第１のネットワークデバイスにより、モバイルデバイスに、モバイルデバイスがそれぞれのポート番号でスケジュール設定されることに基づいてデータを送信することを含み得る。
【００１７】
幾つかの実装形態によれば、方法は、第１のネットワークデバイスにより、ランクのグループのランクのためのそれぞれのポート番号の指示を第２のネットワークデバイスに送信することを含み得る。それぞれのポート番号を特定することは、使用可能なポートをポートの２つのグループに分割することを含み得る。
【００１８】
方法は、幾つかの実装形態によれば、第１のネットワークデバイスにより、第２のネットワークデバイスの送信との準静的協調を実行することを含み得る。これらの実装形態に加えて、方法は、第１のネットワークデバイスにより、準静的協調の実行に基づいて復調基準信号への干渉を低減することを含み得る。
【００１９】
幾つかの実装形態によれば、方法は、第１のネットワークデバイスにより、第２のネットワークデバイスによる使用のるためにそれぞれの復調基準信号ポートのリソース要素を予約することを含み得る。これらの実装形態に加えて、第１のネットワークデバイスは、それぞれの復調基準信号ポートのリソース要素上でデータ送信をスケジュール設定することを回避し得る。
【００２０】
方法は、幾つかの実装形態によれば、第１のネットワークデバイスにより、ランクのグループのランクのためのそれぞれのポート番号でモバイルデバイスをスケジュール設定することを含み得る。幾つかの実装形態において、データを送信することは、第５世代無線ネットワーク通信プロトコルに従って動作するように構成されるダウンリンクチャネルを介してデータを送信することを含み得る。
【００２１】
別の実施形態は、プロセッサによって実行されると、動作の実行を容易にする実行可能命令を含む機械可読記憶媒体に関し得る。動作は、モバイルデバイスへの第１の送信のそれぞれのランクのためのそれぞれのポート番号を特定することを含み得る。また、動作は、第２のネットワークデバイスから、モバイルデバイスへの第２の送信のランクのためのポート番号に関連付けられる第１の復調基準信号の指示を受信することを含み得、ここで、指示は、ネットワークデバイスから受信される。更に、動作は、第１の送信をモバイルデバイスに送信することを含み得る。第１の送信は、第２の送信に関連付けられるポート番号と異なるポート番号に関する第２の復調基準信号を含み得る。
【００２２】
第２の復調基準信号は、第１の復調基準信号との干渉を回避するように選択され得る。更に、第１の復調基準信号は、第２の復調基準信号と異なるリソース要素に配置され得る。
【００２３】
ここで、図１を参照すると、図示するのは、本明細書中に説明する１つ以上の実施形態による例示的で非限定的な無線通信システム１００である。種々の実施形態によれば、無線通信システム１００は、第１のＵＥ１０２１及び第２のＵＥ１０２２として示す１つ以上のユーザー機器デバイス（ＵＥ）を含み得る。２つのＵＥのみが簡略化のために示されているが、無線通信システム１００は、多数のＵＥを含み得ることに留意されたい。
【００２４】
非限定的な用語のユーザー機器は、セルラー又はモバイル通信システムにおいてネットワークノードと通信することができる任意のタイプのデバイスを指すことができる。ＵＥは、垂直及び水平要素を有する１つ以上のアンテナパネルを含み得る。ＵＥは、携帯電話、スマートフォン、セルラー使用可能なラップトップ（例えば、ブロードバンドアダプタを含む）、タブレットコンピューター、ウェアラブルデバイス、仮想現実（ＶＲ）デバイス、ヘッドアップディスプレイ（ＨＵＤ）デバイス、スマートカー、マシンタイプ通信（ＭＴＣ）デバイス等のような任意のユーザー機器デバイスであり得る。ＵＥの他の例は、ターゲットデバイス、デバイスツーデバイス（Ｄ２Ｄ）、マシンタイプＵＥ又はマシンツーマシン（Ｍ２Ｍ）通信が可能なＵＥ、パーソナルデジタルアシスタント（ＰＤＡ）、タブレット、モバイル端末、ラップトップ搭載機器（ＬＭＥ）、モバイル通信が可能なユニバーサルシリアルバス（ＵＳＢ）ドングル、モバイル機能を有するコンピューター、携帯電話等のモバイルデバイス、モバイルブロードバンドアダプタ等のラップトップ組み込み機器（ＬＥＥ）を有するラップトップ、モバイルブロードバンドアダプタを有するタブレットコンピューター等を含むが、これらに限定されない。ユーザー機器（例えば、第１のＵＥ１０２１、第２のＵＥ１０２２）は、無線通信することができるモノのインターネット（ＩＯＴ）デバイスも含み得る。ＵＥは、汎欧州デジタル移動体通信（ＧＳＭ）システムにおける移動局（ＭＳ）にほぼ対応することができる。
【００２５】
種々の実施形態において、無線通信システム１００は、１つ以上の無線通信ネットワークプロバイダーによってサービス提供される無線通信ネットワークであるか又はそれを含み得る。例示的な実施形態において、ＵＥ（例えば、第１のＵＥ１０２１、第２のＵＥ１０２２）は、ネットワークノードデバイス１０４を介して無線通信ネットワークに通信可能に結合することができる。ネットワークノード（例えば、ネットワークノードデバイス）は、ＵＥと通信することができ、従ってＵＥとより広範なセルラーネットワークとの間の接続性が提供される。更に、ネットワークノードデバイス１０４は、ネットワークノードデバイス１０４を介するＵＥと無線通信ネットワーク（例えば、１つ以上の通信サービスプロバイダーネットワーク１０６）との間の無線通信を容易にすることができる。例示的な実施形態において、ＵＥ（例えば、第１のＵＥ１０２１、第２のＵＥ１０２２）は、ネットワークノードデバイス１０４への無線リンクを介して通信データを送信及び／又は受信することができる。ネットワークノードデバイス１０４からＵＥ（例えば、第１のＵＥ１０２１、第２のＵＥ１０２２）への破線矢印線は、ダウンリンク（ＤＬ）通信を表し、ＵＥ（例えば、第１のＵＥ１０２１、第２のＵＥ１０２２）からネットワークノード（例えば、ネットワークノードデバイス１０４）への実線矢印は、アップリンク（ＵＬ）通信を表す。
【００２６】
無線通信システム１００は、ネットワークノード１０４を介して、種々のＵＥ（例えば、第１のＵＥ１０２１、第２のＵＥ１０２２）に無線通信サービスを提供することを容易にすることができる１つ以上の通信サービスプロバイダーネットワーク１０６及び／又は１つ以上の通信サービスプロバイダーネットワーク１０６内に含まれる種々の更なるネットワークデバイス（図示せず）を更に含み得る。１つ以上の通信サービスプロバイダーネットワーク１０６は、セルラーネットワーク、フェムトネットワーク、ピコセルネットワーク、マイクロセルネットワーク、インターネットプロトコル（ＩＰ）ネットワーク、Ｗｉ−Ｆｉサービスネットワーク、ブロードバンドサービスネットワーク、エンタープライズネットワーク、クラウドベースネットワーク等を含むが、これらに限定されない様々な種類の異種ネットワークを含むことができる。
【００２７】
非限定的な用語のネットワークノード（例えば、ネットワークノードデバイス）は、本明細書中では、１つ以上のＵＥにサービスを提供し、且つ／又は他のネットワークノード、ネットワーク要素、他のノード及び／若しくは１つ以上のＵＥが無線信号を受信することができる他のデバイスに接続される任意の種類のネットワークノードを指すために用いられ得る。セルラー無線アクセスネットワーク（例えば、ユニバーサル移動体通信システム（ＵＭＴＳ）ネットワーク）において、ネットワークノードは、ベーストランシーバー基地局（ＢＴＳ）、無線基地局、無線ネットワークノード、基地局、Ｎｏｄｅ  Ｂ、ｅＮｏｄｅ  Ｂ（例えば、発展型Ｎｏｄｅ  Ｂ）等と称することができる。５Ｇ用語において、ノードは、ｇＮｏｄｅ  Ｂ（例えば、ｇＮＢ）デバイスと称することができる。
【００２８】
ネットワークノードは、種々の伝送動作（例えば、多入力多出力（ＭＩＭＯ）動作）を実行するための複数のアンテナも含み得る。ネットワークノードは、キャビネット及び他の保護された筐体、アンテナマスト及び実際のアンテナを含み得る。ネットワークノードは、アンテナの構成及び種類に応じて、セクターとも呼ばれる幾つかのセルに対応することができる。ネットワークノード（例えば、ネットワークノードデバイス１０４）の例は、Ｎｏｄｅ  Ｂデバイス、基地局（ＢＳ）デバイス、アクセスポイント（ＡＰ）デバイス及び無線アクセスネットワーク（ＲＡＮ）デバイスを含み得るが、これらに限定されない。ネットワークノードデバイス１０４は、ＭＳＲ  ＢＳ、ｅＮｏｄｅ  Ｂ、ネットワークコントローラ、無線ネットワークコントローラ（ＲＮＣ）、基地局コントローラ（ＢＳＣ）、リレー、ドナーノード制御リレー、ベーストランシーバー基地局（ＢＴＳ）、送信ポイント、送信ノード、リモート無線ユニット（ＲＲＵ）、リモート無線ヘッド（ＲＲＨ）、分散アンテナシステム（ＤＡＳ）内のノード等を含むマルチスタンダード無線（ＭＳＲ）無線ノードデバイスも含み得る。
【００２９】
例えば、少なくとも１つの実装形態において、無線通信システム１００は、種々の地理的エリアに及ぶ大規模無線通信ネットワークであり得るか又はそれを含み得る。この実装形態によれば、１つ以上の通信サービスプロバイダーネットワーク１０６は、無線通信ネットワーク及び／又は無線通信ネットワークの種々の更なるデバイス及び構成要素（例えば、更なるネットワークデバイス及びセル、更なるＵＥ、ネットワークサーバーデバイス等）であり得るか又はそれらを含み得る。
【００３０】
ネットワークノードデバイス１０４は、１つ以上のバックホールリンク１０８を介して１つ以上の通信サービスプロバイダーネットワーク１０６に接続することができる。例えば、１つ以上のバックホールリンク１０８は、Ｔ１／Ｅ１電話線、デジタル加入者線（ＤＳＬ）（例えば、同期又は非同期）、非対称ＤＳＬ（ＡＤＳＬ）、光ファイバーバックボーン、同軸ケーブル等の有線リンク構成要素を含むことができる。１つ以上のバックホールリンク１０８は、限定はしないが、地上エアインターフェース又はディープスペースリンク（例えば、ナビゲーションのための衛星通信リンク）を含むことができる見通し線（ＬＯＳ）又は非ＬＯＳリンク等の無線リンク構成要素も含み得る。
【００３１】
無線通信システム１００は、種々のセルラーシステム、技術及び変調モードを利用して、デバイス（例えば、ＵＥ（例えば、第１のＵＥ１０２１、第２のＵＥ１０２２）及びネットワークノードデバイス１０４）間の無線通信を容易にすることができる。例示的な実施形態は、５Ｇ  ｎｅｗ  ｒａｄｉｏ（ＮＲ）システムについて説明されている場合があるものの、実施形態は、任意の無線アクセス技術（ＲＡＴ）又はＵＥが複数の搬送波を用いて動作するマルチＲＡＴシステム、例えばＬＴＥ  ＦＤＤ／ＴＤＤ、ＧＳＭ／ＧＥＲＡＮ、ＣＤＭＡ２０００等に適用可能であり得る。
【００３２】
例えば、無線通信システム１００は、汎欧州デジタル移動体通信システム（ＧＳＭ）、ユニバーサルモバイルテレコミュニケーションサービス（ＵＭＴＳ）、ロングタームエボリューション（ＬＴＥ）、ＬＴＥ周波数分割複信（ＬＴＥ  ＦＤＤ）、ＬＴＥ時分割複信（ＴＤＤ）、高速パケットアクセス（ＨＳＰＡ）、符号分割多重アクセス（ＣＤＭＡ）、ワイドバンドＣＤＭＡ（ＷＣＭＤＡ）、ＣＤＭＡ２０００、時分割多重アクセス（ＴＤＭＡ）、周波数分割多重アクセス（ＦＤＭＡ）、マルチキャリア符号分割多重アクセス（ＭＣ−ＣＤＭＡ）、シングルキャリア符号分割多重アクセス（ＳＣ−ＣＤＭＡ）、シングルキャリアＦＤＭＡ（ＳＣ−ＦＤＭＡ）、直交周波数分割多重（ＯＦＤＭ）、離散フーリエ変換拡散ＯＦＤＭ（ＤＦＴ拡散ＯＦＤＭ）、シングルキャリアＦＤＭＡ（ＳＣ−ＦＤＭＡ）、フィルターバンクベースマルチキャリア（ＦＢＭＣ）、ゼロテイルＤＦＴ拡散ＯＦＤＭ（ＺＴ  ＤＦＴ−ｓ−ＯＦＤＭ）、汎用周波数分割多重（ＧＦＤＭ）、フィックスドモバイルコンバージェンス（ＦＭＣ）、ユニバーサルフィックスドモバイルコンバージェンス（ＵＦＭＣ）、ユニークワードＯＦＤＭ（ＵＷ−ＯＦＤＭ）、ユニークワードＤＦＴ拡散ＯＦＤＭ（ＵＷ  ＤＦＴ拡散ＯＦＤＭ）、サイクリックプレフィックスＯＦＤＭ（ＣＰ−ＯＦＤＭ）、リソースブロックフィルタードＯＦＤＭ、ＷｉＦｉ、ＷＬＡＮ、ＷｉＭａｘ等に従って動作することができる。
【００３３】
しかしながら、無線通信システム１００の種々の特徴及び機能が特に説明され、ここで、無線通信システム１００のデバイス（例えば、ＵＥ（例えば、第１のＵＥ１０２１、第２のＵＥ１０２２）及びネットワークデバイス１０４）は、データシンボルを、複数の周波数サブキャリアを通して同時に送信することができる１つ以上のマルチキャリア変調スキーム（例えば、ＯＦＤＭ、ＣＰ−ＯＦＤＭ、ＤＦＴ拡散ＯＦＭＤ、ＵＦＭＣ、ＦＭＢＣ等）を用いて無線信号を通信するように構成される。実施形態は、ＵＥのシングルキャリア及びマルチキャリア（ＭＣ）又はキャリアアグリゲーション（ＣＡ）動作に適用可能である。キャリアアグリゲーションという用語は、「マルチキャリアシステム」、「マルチセル動作」、「マルチキャリア動作」、「マルチキャリア」送信及び／又は受信とも呼ばれる（例えば、同義で呼ばれる）。幾つかの実施形態は、幾つかの搬送波上のマルチＲＡＢ（無線ベアラ）にも適用可能である（すなわちデータ＋音声が同時にスケジュール設定される）ことに留意されたい。
【００３４】
種々の実施形態において、無線通信システム１００は、５Ｇ無線ネットワーク接続特徴及び機能を提供及び利用するように構成することができる。５Ｇ無線通信ネットワークは、指数関数的に増加するデータトラフィックの需要を満たし、人々及び機械が、実質的に待ち時間を生じることなくギガビットデータ速度を享受できるようにすることが期待される。４Ｇと比べて、５Ｇは、より多様なトラフィックシナリオをサポートする。例えば、４Ｇネットワークによってサポートされる従来のＵＥ（例えば、電話、スマートフォン、タブレット、ＰＣ、テレビ、インターネット対応テレビ等）間の種々のタイプのデータ通信に加えて、５Ｇネットワークを利用して、マシンタイプ通信（ＭＴＣ）だけでなく、無人自動車環境に関連するスマートカー間のデータ通信をサポートすることができる。
【００３５】
図２は、本明細書中に説明する１つ以上の実施形態による、ダウンリンクデータ転送を容易にすることができる例示的で非限定的なメッセージシーケンスフローチャート２００を示す。メッセージシーケンスフローチャート２００は、本明細書中で検討するように、新しい無線に利用することができる。図示のように、メッセージシーケンスフローチャート２００は、ネットワークデバイス２０２（例えば、一般Ｎｏｄｅ  Ｂ、基地局（ｇＮＢ））とモバイルデバイス２０４との間のメッセージシーケンスを表す。本明細書中で用いるように、用語「ネットワークデバイス２０２」は、ネットワーク、ネットワークコントローラ又は任意の数の他のネットワーク構成要素と同義である（又はそれらを含む）ことができる。１つ以上のパイロット信号及び／又は基準信号２０６は、ネットワークデバイス２０２からモバイルデバイス２０４に送信することができる。１つ以上のパイロット信号及び／又は基準信号２０６は、セル固有及び／又はユーザー機器固有の信号であり得る。１つ以上のパイロット信号及び／又は基準信号２０６は、ビームフォーミング又は非ビームフォーミングされ得る。
【００３６】
１つ以上のパイロット信号及び／又は基準信号２０６に基づいて、モバイルデバイス２０４は、チャネル推定値を計算することができ、２０８で示すように、チャネル状態情報（ＣＳＩ）報告に必要な１つ以上のパラメータを計算することができる。ＣＳＩレポートは、例えば、チャネル品質インジケータ（ＣＱＩ）、プリコーディング行列インデックス（ＰＭＩ）、ランク情報（ＲＩ）、チャネル状態情報基準信号（ＣＳＩ−ＲＳ）リソースインジケータ（ＣＲＩ、ビームインジケータと同じ）等、又は任意の数の他の種類の情報を含み得る。
【００３７】
ＣＳＩレポートは、フィードバックチャネル（例えば、アップリンク制御又はフィードバックチャネル２１０）を介してモバイルデバイス２０４からネットワークデバイス２０２に送信することができる。ＣＳＩレポートは、ネットワークデバイス２０２からの要求に応じて、定期的に送信することができ、且つ／又はモバイルデバイス２０４は、定期的にレポートするように構成することができる。
【００３８】
スケジューラを含み得るネットワークデバイス２０２は、特定のモバイルデバイス２０４のスケジュール設定のためのパラメータを特定するためにＣＳＩレポートを用いることができる。例えば、２１２で示すように、ネットワークデバイス２０２は、チャネル状態情報に基づいてダウンリンク送信のためのパラメータを特定することができる。ダウンリンク送信のためのパラメータは、変調及び符号化方式（ＭＣＳ）、電力、物理リソースブロック（ＰＲＢ）等を含むが、これらに限定されない。
【００３９】
ネットワークデバイス２０２は、スケジュール設定パラメータをダウンリンク制御チャネル（例えば、ダウンリンク制御チャネル２１４）においてモバイルデバイス２０４に送信することができる。スケジュール設定パラメータ情報が送信されるとき又はその後、実際のデータ転送は、データトラフィックチャネル２１６を介してネットワークデバイス２０２からモバイルデバイス２０４に行うことができる。
【００４０】
ダウンリンク基準信号は、ダウンリンク時間周波数グリッド内の特定のリソース要素を占める事前定義された信号である。異なる方法で送信され、受信端末（例えば、モバイルデバイス２０４）によって異なる目的のために用いられる幾つかの種類のダウンリンク基準信号が存在する。例えば、ダウンリンク基準信号は、ＣＳＩ基準信号（ＣＳＩ−ＲＳ）及び復調基準信号（ＤＭ−ＲＳ）を含むことができる。
【００４１】
ＣＳＩ基準信号は、チャネル状態情報（ＣＳＩ）及びビーム固有情報（ビームＲＳＲＰ）を取得するために端末（例えば、モバイルデバイス２０４）によって用いられることを特に意図している。５Ｇにおいて、ＣＳＩ−ＲＳは、モバイルデバイス固有である。従って、ＣＳＩ−ＲＳは、大幅に低い時間／周波数密度を有する可能性がある。
【００４２】
復調基準信号（ユーザー機器（ＵＥ）固有基準信号とも称する）は、データチャネルのためのチャネル推定のために端末が用いることを特に目的としている。ラベル「ＵＥ固有」とは、各復調基準信号が単一の端末によるチャネル推定を目的としているという事実に関する。その特定の基準信号は、次いで、その端末へのデータトラフィックチャネル送信に割り当てられるリソースブロック内でのみ送信される。
【００４３】
ダウンリンク基準信号は、位相追跡基準信号（ＰＴ−ＲＳ）及び追跡基準信号（ＴＲＳ）も含むことができる。上記の基準信号の他に、様々な目的に用いることができる他の基準信号、すなわち位相追跡及び追跡並びにサウンディング基準信号等がある。
【００４４】
アップリンク制御チャネルは、ダウンリンクデータ送信に対応するハイブリッド自動再送要求（ＨＡＲＱ−ＡＣＫ）情報に関する情報及びチャネル状態情報を搬送する。チャネル状態情報は、ＣＳＩ−ＲＳリソースインジケータ（ＣＲＩ）、ランクインジケータ（ＲＩ）、チャネル品質インジケータ（ＣＱＩ）、プリコーディング行列インジケータ（ＰＭＩ）、レイヤインジケータ等を含み得る。ＣＳＩは、少なくとも２つのカテゴリに分けることができる。例えば、第１のカテゴリは、サブバンド用、第２のカテゴリは、ワイドバンド用であり得る。サブバンド及び／又はワイドバンドＣＳＩレポートの構成は、ＣＳＩレポート構成の一部として無線リソース制御（ＲＲＣ）信号方式により実行することができる。以下の表１は、ワイドバンド及びサブバンドの両方のためのＣＳＩレポート例の内容例を示す。詳細には、表１は、ＰＭＩフォーマットインジケータ＝ワイドバンド、ＣＱＩフォーマットインジケータ＝ワイドバンド及びＰＭＩフォーマットインジケータ＝サブバンド、ＣＱＩフォーマットインジケータ＝サブバンドに対するレポートの内容を示す。
【００４５】
【表１】
2022501932.tif 000003
【００４６】
ＮＲに対して、サブバンドは、非限定的で構成可能なサブバンドサイズの例を示す以下の表２に示すように、ＰＲＢの観点から、直交周波数分割多重方式（ＯＦＤＭ）の帯域幅部分に従って定義できることに留意されたい。サブバンド構成は、ＲＲＣシグナリングを介して実行することもできる。
【００４７】
【表２】
2022501932.tif 000004
【００４８】
ダウンリンク制御チャネル（ＰＤＣＣＨ）は、スケジュール設定許可に関する情報を搬送することができる。これは、スケジュールされたＭＩＭＯレイヤの数、トランスポートブロックサイズ、各コードワードに対する変調、ＨＡＲＱに関するパラメータ、サブバンドの場所等を含み得る。全てのダウンリンク制御情報（ＤＣＩ）フォーマットが、上で示したように、全ての情報を使用せず、且つ／又は送信しない可能性があることに留意されたい。一般に、ＰＤＣＣＨの内容は、送信モード及びＤＣＩフォーマットによって異なる。
【００４９】
場合により、以下の情報を、ダウンリンク制御情報（ＤＣＩ）フォーマットを用いて送信することができる：キャリアインジケータ、ＤＣＩフォーマットの識別子、帯域幅部分インジケータ、周波数領域リソース割り当て、時間領域リソース割り当て、仮想リソースブロック（ＶＲＢ）からＰＲＢへのマッピングフラグ、ＰＲＢバンドルサイズインジケータ、レートマッチングインジケータ、ゼロ電力（ＺＰ）ＣＳＩ−ＲＳトリガー、各トランスポートブロック（ＴＢ）の変調及びコーディング方式、各ＴＢの新しいデータインジケータ、各ＴＢの冗長バージョン、ＨＡＲＱプロセス番号、ダウンリンク割り当てインデックス、アップリンク制御チャネルの送信電力制御（ＴＰＣ）コマンド、物理アップリンク制御チャネル（ＰＵＣＣＨ）リソースインジケータ、物理ダウンリンク共有チャネル（ＰＤＳＣＨ）からＨＡＲＱへのフィードバックタイミングインジケータ、アンテナポート、送信構成指示、サウンディング基準信号（ＳＲＳ）要求、コードブロックグループ（ＣＢＧ）送信情報、ＣＢＧフラッシュアウト情報、復調基準信号（ＤＭＲＳ）シーケンス初期化等。
【００５０】
図３は、本明細書中に説明する１つ以上の実施形態による、復調基準信号（ＤＭ−ＲＳ）を有する多入力多出力（ＭＩＭＯ）システムの例示的で非限定的なシステム図３００を示す。ＭＩＭＯシステムは、無線システムのデータ搬送容量を大幅に向上させることができる。ＭＩＭＯは、ダイバーシティ利得、空間多重化利得及びビームフォーミング利得を実現するために用いることができる。これらの理由から、ＭＩＭＯは、３Ｇ及び４Ｇ無線システムの不可欠な部分である。更に、大規模ＭＩＭＯシステムは、現在、５Ｇシステム及びより高度なシステムに向けて研究中である。
【００５１】
システム図３００は、復調基準信号を有するＭＩＭＯシステムの例示的で非限定的な概念図である。ｇＮｏｄｅ  Ｂ送信機では、共通の基準信号、すなわちＣＳＩ−ＲＳ３０２がチャネルサウンディングのために送信される。ＵＥ受信機３０４は、チャネルサウンディングから（例えば、チャネル推定デバイス３０６を介して）チャネル品質（通常、ＳＩＮＲ）を推定し、次のダウンリンク送信のための優先プリコーディング行列（ＰＭＩ）、ランクインジケータ（ＲＩ）及びＣＱＩを計算する。この情報は、チャネル状態情報（ＣＳＩ）３０８と称する。ＵＥは、フィードバックチャネル３１０（例えば、図２に関して検討したようなアップリンク制御又はフィードバックチャネル２１０）を介してこの情報を伝達する。
【００５２】
ダウンリンクデータ送信に対して、ｇＮｏｄｅ  Ｂは、この情報を用いて、ＵＥによって提案されたようなプリコーディング行列（又はｇＮｏｄｅ  Ｂは、ＵＥが推奨するＰＭＩ以外の可能性があるプリコーディング行列を独自に選択できる）、ＣＱＩ及びトランスポートブロックサイズ等を選択する。最後に、基準信号（ＤＭ−ＲＳ）３１２及びデータ３１４の両方に、ｇＮｏｄｅ  Ｂによって選択及び送信される、３１８で示すプリコーディング行列（例えば、プリコーダデバイス３１６）を乗じる。ＵＥ受信機は、有効チャネル（例えば、プリコーディング行列を乗じたチャネル）を推定し、データを復調する。
【００５３】
図４Ａ〜４Ｄは、本明細書中に説明する１つ以上の実施形態による、最大４つのアンテナポートのための復調基準信号（ＤＭ−ＲＳ）構造に対するリソースマッピングの非限定的な例を示す。詳細には、図４Ａは、アンテナポート０のためのリソースマッピングを示し、図４Ｂは、アンテナポート１のためのリソースマッピングを示し、図４Ｃは、アンテナポート２のためのリソースマッピングを示し、図４Ｄは、アンテナポート３のためのリソースマッピングを示す。
【００５４】
図示するように、図４Ａ〜４Ｄは、ＮＲシステムにおける４つのアンテナポート（従って最大４つのレイヤ及び４つのＤＭ−ＲＳ）のためのＤＭ−ＲＳ構造の一例を示す。図４Ａ〜４Ｄにおける最初の２つのＯＦＤＭシンボルは、制御シンボルである（列４０２及び４０４によって示す）。
【００５５】
図４Ａに示すように、リソースブロック内の第３のＯＦＤＭシンボル（例えば、第３の列４０６として示す）内の黒い四角として示す６つの基準シンボルは、単一のアンテナポート０に対して送信される。図４Ｂに示すように、第３のＯＦＤＭシンボル（第３の列４０８として示す）内の黒い四角として示す同じ基準シンボルは、コード多重化され、アンテナポート１で送信される。
【００５６】
同様の方法で、ポート２（図４Ｃ）及びポート３（図４Ｄ）について、同じリソース要素は、ＤＭＲＳ基準シンボルを送信するために用いられる。これらは、図４Ｃの第３の列４１０及び図４Ｄの第３の列４１２の黒い四角によって示されている。しかし、それらは、ポート０（図４Ａ）及びポート１（図４Ｂ）のようにコード多重化されている。ランク３及び４（ポート２及び３）に用いられるリソース要素は、ポート０及びポート１のものと周波数が直交していることに留意されたい。図４Ａ〜４Ｄの他の基準シンボルは、データに利用することができる。
【００５７】
送信されるレイヤの数は、動的に変化する可能性があるため、送信されるＤＭ−ＲＳの数も変化する可能性がある。端末（例えば、モバイルデバイス２０４、ＵＥ）は、図２に関して説明したように、ダウンリンク制御チャネルを介するスケジュール設定情報の一部として送信されたレイヤの数（又はランク）について通知され得る。以下の表３は、非限定的な例としてＤＣＩ指示を示す。
【００５８】
ＬＴＥと同様に、ＮＲにおいて、ＯＦＤＭ波形は、ダウンリンク及びアップリンク送信の両方に用いることができる。多くのサブキャリア構成要素が逆高速フーリエ変換（ＩＦＦＴ）演算を介して追加されるため、ＯＦＤＭシステムにおける送信信号は、時間領域において高いピーク値を有することができる。従って、ＯＦＤＭシステムは、シングルキャリアシステムと比較して高いピーク対平均電力比（ＰＡＰＲ）を有することができる。実際、高いＰＡＰＲは、アナログデジタルコンバータ（ＡＤＣ）及びデジタルアナログコンバータ（ＤＡＣ）の信号対量子化雑音比（ＳＱＮＲ）を低下させる一方、送信機の電力増幅器の効率を低下させるため、ＯＦＤＭシステムにおいて最も有害な側面の１つである。以下の表３は、例示的で非限定的なＤＣＩ指示を示す。より詳細には、表３は、アンテナポート（１０００＋ＤＭＲＳポート）、ｄｍｒｓ−Ｔｙｐｅ＝１、ｍａｘＬｅｎｇｔｈ＝１を示す。
【００５９】
【表３】
2022501932.tif 000005
【００６０】
一般に、ＮＲは、従来の無線通信デバイスと比較してより高い周波数帯域で動作する。例えば、３ＧＰＰは、位相追跡基準信号と称する基準信号を導入した。位相追跡基準信号は、例えば、１つのスロットの送信期間にわたる位相変動を追跡することを目的とするＤＭＲＳの拡張と見なすことができる。これらの位相変動は、主に位相雑音が高くなる傾向がある高周波において局部発振器の位相雑音に起因する可能性がある。
【００６１】
主な目的は、位相雑音を追跡することであるため、ＰＴ−ＲＳは、時間的に密である必要があるが、周波数は、まばらであり得る。ＰＴ−ＲＳは、ＤＭ−ＲＳと組み合わせてのみ及びネットワークがＰＴ−ＲＳを存在するように構成した場合にのみ生じる。
【００６２】
ＰＤＳＣＨ割り当てにおける第１のＰＴ−ＲＳ基準シンボルは、割り当ての最初のＯＦＤＭシンボルから始めてＬ番目のＯＦＤＭシンボル毎に繰り返される。ＤＭ−ＲＳの直後にＰＴ−ＲＳが必要ないため、繰り返しカウンタは、ＤＭ−ＲＳのたびにリセットされる。一般に、密度は、ダウンリンク制御チャネルにおいて信号送信されるスケジュールされたＭＣＳにリンクされる。
【００６３】
周波数領域において、位相追跡基準シンボルは、２番目又は４番目のリソースブロック毎に送信される。これにより、結果として周波数領域構造がまばらになる。周波数領域の割り当ては、帯域幅が高いほど周波数領域のＰＴ−ＲＳ密度が低くなるように、スケジュールされた送信帯域幅にリンクされる。最小帯域幅の場合、ＰＴ−ＲＳは、送信されない。
【００６４】
図５は、１つのリソースブロックのための位相追跡基準構造に対する例示的で非限定的なリソースマッピングを示す。上の図と同様に、最初の２つのＯＦＤＭシンボルは、制御シンボルである（列５０２及び５０４によって示す）。更に、列５０６は、ＤＭＲＳ基準シンボルを送信するためのリソース要素を示す。
【００６５】
図示のように、単一のポートは、５０８で示すように位相追跡基準構造（ＰＴＲＳ）を送信するために利用されている。単一のポートは、ＤＣＩにおいて信号送信される最小ＤＭＲＳポートインデックスである。同じ構造は、図示するように、２つのリソースブロック毎に繰り返されることに留意されたい。しかし、同じ構造は、ダウンリンク制御チャネルにおいて信号送信されるような割り当てられたリソースブロックに応じて、２つのリソースブロック又は４つのリソースブロック毎に繰り返すことができる。
【００６６】
以下の表４は、スケジュールされたＭＣＳの関数としてのＰＴ−ＲＳの例示的で非限定的な時間密度を示す。
【００６７】
【表４】
2022501932.tif 000006
【００６８】
以下の表５は、スケジュールされたＭＣＳの関数としてのＰＴ−ＲＳの例示的で非限定的な周波数密度を示す。
【００６９】
【表５】
2022501932.tif 000007
【００７０】
図６は、基準信号を追跡するための例示的で非限定的なリソースマッピングを示す。上の図と同様に、最初の２つのＯＦＤＭシンボルは、制御シンボルである（列６０２及び６０４によって示す）。更に、列６０６は、ＤＭＲＳ基準シンボルを送信するためのリソース要素を示す。
【００７１】
発振器の欠陥により、デバイスは、ダウンリンク送信を正常に受信するために時間及び周波数の変動を追跡し、補正する必要がある。このタスクにおいてデバイスを支援するために、トラッキング基準信号（ＴＲＳ）は、ＮＲで構成することができる。ＴＲＳは、ＣＳＩ−ＲＳではない。代わりに、ＴＲＳは、ゼロではない電力を有する複数の周期的なＣＳＩ−ＲＳから構成されるリソースセットである。より詳細には、ＴＲＳは、図６に示すように、２つの連続するスロット内に位置する４つの１ポート、密度３のＣＳＩ−ＲＳを含む。
【００７２】
ＴＲＳの周期性は、１０、２０、４０又は８０ミリ秒（ｍｓｅｃ）のいずれかの周期性により構成することができる。ＴＲＳに用いられるリソース要素の正確なセットは、異なる可能性があることに留意されたい。スロット内の２つのＴＲＳ間に常に４シンボルの時間領域分離が存在する可能性がある。この時間領域分離は、追跡することができる周波数誤差のための限界を設定する。同様に、周波数領域分離（４つのサブキャリア）は、追跡することができるタイミング誤差のための限界を設定する。
【００７３】
６ＧＨｚ未満の搬送波周波数に対して、ネットワーク（例えば、ネットワークデバイス２０２）は、各スロットに２つの周期的ＴＲＳリソースを有する２つの連続するスロット内に４つの周期的ＴＲＳを構成することができる。６ＧＨｚを超える搬送波周波数に対して、ネットワークは、１つのスロット内に２つの周期的ＴＲＳ又は各スロットに２つの周期的ＴＲＳリソースを有する２つの連続するスロット内に４つの周期的ＴＲＳを構成することができる。
【００７４】
図７は、本明細書中に説明する１つ以上の実施形態による、複数の送信ポイントを有する先進ネットワークにおけるダウンリンクデータ転送のための例示的で非限定的なメッセージシーケンスフローチャート７００を示す。メッセージシーケンスフローチャート７００は、本明細書中で検討するように、新しい無線に利用することができる。図示のように、メッセージシーケンスフローチャート７００は、第１のネットワークデバイス７０２（例えば、第１の一般Ｎｏｄｅ  Ｂ、すなわちｇＮＢ１）、モバイルデバイス７０４及び第２のネットワークデバイス７０６（例えば、第２のｇＮＢ、すなわちｇＮＢ２）間のメッセージシーケンスを表す。
【００７５】
１つ以上のパイロット信号及び／又は基準信号７０８は、第１のネットワークデバイス７０２からモバイルデバイス７０４に送信することができる。更に、１つ以上のパイロット信号及び／又は基準信号７１０は、第２のネットワークデバイス７０６からモバイルデバイス７０４に送信することができる。１つ以上のパイロット信号及び／若しくは基準信号７０８並びに／又は１つ以上のパイロット信号及び／若しくは基準信号７１０は、セル固有及び／又はユーザー機器固有の信号であり得る。１つ以上のパイロット信号及び／若しくは基準信号７０８並びに／又は１つ以上のパイロット信号及び／若しくは基準信号７１０は、ビームフォーミング又は非ビームフォーミングされ得る。
【００７６】
１つ以上のパイロット信号及び／若しくは基準信号７０８並びに／又は１つ以上のパイロット信号及び／若しくは基準信号７１０に基づいて、モバイルデバイス７０４は、チャネル推定値を計算することができ、７１２で示すように、チャネル状態情報（ＣＳＩ）報告に必要な１つ以上のパラメータを計算することができる。ＣＳＩレポートは、第１のフィードバックチャネル（例えば、第１のアップリンク制御又は第１のフィードバックチャネル７１４）を介してモバイルデバイス７０４から第１のネットワークデバイス７０２に送信することができる。ＣＳＩレポート（又は異なるＣＳＩレポート）は、第２のフィードバックチャネル（例えば、第２のアップリンク制御又は第２のフィードバックチャネル７１６）を介してモバイルデバイス７０４から第２のネットワークデバイス７０６に送信することができる。ＣＳＩレポートは、第１のネットワークデバイス７０２及び／又は第２のネットワークデバイス７０６からの要求に応じて、定期的に送信することができ、且つ／又はモバイルデバイス７０４は、定期的にレポートするように構成することができる。
【００７７】
スケジューラを含み得る第１のネットワークデバイス７０２は、特定のモバイルデバイス７０４のスケジュール設定のためのパラメータを特定するためにＣＳＩレポートを用いることができる。例えば、７１８で示すように、第１のネットワークデバイス７０２は、チャネル状態情報に基づいてダウンリンク送信のためのパラメータを特定することができる。ダウンリンク送信のためのパラメータは、変調及び符号化方式（ＭＣＳ）、電力、物理リソースブロック（ＰＲＢ）等を含むが、これらに限定されない。
【００７８】
加えて、スケジューラを含み得る第２のネットワークデバイス７０６は、特定のモバイルデバイス７０４のスケジュール設定のためのパラメータを特定するためにＣＳＩレポートを用いることができる。例えば、７２０で示すように、第２のネットワークデバイス７０６は、チャネル状態情報に基づいてダウンリンク送信のためのパラメータを特定することができる。ダウンリンク送信のためのパラメータは、ＭＣＳ、電力、ＰＲＢ等を含むことができるが、これらに限定されない。
【００７９】
第１のネットワークデバイス７０２は、特定されたスケジュール設定パラメータをダウンリンク制御チャネル（例えば、ダウンリンク制御チャネル７２２）においてモバイルデバイス７０４に送信することができる。スケジュール設定パラメータ情報が送信されるとき又はその後、実際のデータ転送は、データトラフィックチャネル７２４（ＰＤＳＣＨ）を介して第１のネットワークデバイス７０２からモバイルデバイス７０４に行うことができる。
【００８０】
加えて、第２のネットワークデバイス７０６は、特定されたスケジュール設定パラメータをダウンリンク制御チャネル（例えば、ダウンリンク制御チャネル７２６）においてモバイルデバイス７０４に送信することができる。スケジュール設定パラメータ情報が送信されるとき又はその後、実際のデータ転送は、データトラフィックチャネル７２８（ＰＤＳＣＨ）を介して第２のネットワークデバイス７０６からモバイルデバイス７０４に行うことができる。
【００８１】
モバイルデバイス（例えば、ＵＥ）が複数の送信ポイント（ＴＲＰ）とともに構成されている場合、一次セル（一次ＴＲＰ又は例えば第１のネットワークデバイス７０２）のチャネル推定性能は、隣接セル（二次セル又は例えば第２のネットワークデバイス７０６）における干渉により影響を受ける。これは、主に、隣接するＴＲＰも一次セルと同じリソースを用いるためである。チャネル推定は、無線通信の性能にとって重要であり、開示する態様は、チャネル推定を改善することができ、それによりリンク及びシステムのスループットを改善することができる。
【００８２】
開示される主題に従って実施することができる方法は、以下のフローチャートを参照することにより、よりよく認識されるであろう。説明を簡単にするために、方法は、一連のブロックとして図示及び説明されるが、幾つかのブロックは、本明細書中に図示及び説明するものと異なる順序において、且つ／又は他のブロックと同時に行われる場合があるため、開示する態様は、ブロックの数又は順序によって限定されないことを理解されたい。その上、開示する方法を実施するために、必ずしも例示される全てのブロックが必要とされるとは限らない場合がある。ブロックに関連する機能は、ソフトウェア、ハードウェア、それらの組み合わせ又は任意の他の適切な手段（例えば、デバイス、システム、プロセス、構成要素等）によって実装できることが認識されるべきである。加えて、開示する方法は、かかる方法を種々のデバイスに輸送及び転送することを容易にするために、製造品に格納され得ることを更に認識されたい。当業者は、方法が、状態図等の一連の相互に関連する状態又は事象として代替的に表され得ることを理解及び認識するであろう。
【００８３】
図８は、本明細書中に説明する１つ以上の実施形態による、先進ネットワークのための複数の送信ポイント間の準静的協調のための例示的で非限定的なコンピューター実装方法８００のフロー図を示す。本明細書中に説明する他の実施形態において用いられる同様の要素の繰り返しの説明は、簡潔にするために省略している。
【００８４】
幾つかの実装形態において、プロセッサを含むシステムは、コンピューター実装方法８００及び／又は本明細書中で検討する他の方法を実行することができる。他の実装形態において、プロセッサを含むデバイスは、コンピューター実装方法８００及び／又は本明細書中で検討する他の方法を実行することができる。他の実装形態において、機械可読記憶媒体は、プロセッサによって実行されると、動作の実行を容易にする実行可能命令を含み得、これは、コンピューター実装方法８００及び／又は本明細書中で検討する他の方法に関して検討する動作であり得る。更なる実装形態において、コンピューター可読記憶装置は、実行に応答して、プロセッサを含むシステムに動作を実行させる実行可能命令を含み、これは、コンピューター実装方法８００及び／又は本明細書中で検討する他の方法に関して検討する動作であり得る。
【００８５】
コンピューター実装方法８００の８０２において、各ランクのために用いられるポート番号は、第１のネットワークデバイス（例えば、一次ネットワークデバイス）によって特定することができる。幾つかの実装形態によれば、各ランクのために用いられるポート番号を特定することは、利用可能なポートをポートの２つのグループに分割することを含み得る。情報は、コンピューター実装方法８００の８０４において、第２のネットワークデバイスと交換することができる。
【００８６】
各ランクのためのＤＭＲＳポートに関する情報は、コンピューター実装方法８００の８０６において第１のネットワークデバイスによって受信することができる。更に、８０８において、第１のネットワークデバイスは、特定したポートで各ＵＥをスケジュール設定することができる。データは、コンピューター実装方法８００の８１０において、第１のネットワークデバイスによってＵＥに送信することができる。
【００８７】
コンピューター実装方法８００は、ＤＭＲＳシンボルへの干渉が最小化及び／又は低減されるように、ＴＲＰ間の準静的協調を容易にすることができる。本明細書中で検討するように、２つのＴＲＰ（例えば、第１のネットワークデバイス、第２のネットワークデバイス）は、各ランクのために用いられるポート番号を事前に特定することができる。例えば、２つ（以上）のＴＲＰは、干渉が最小化及び／又は低減されるように、使用可能なＤＭＲＳポートを分割することができる。加えて、ＴＲＰは、ＰＤＳＣＨが他のＴＲＰのリソース要素でスケジュール設定されないことに同意することができる（例えば、干渉を回避するため）。
【００８８】
開示する態様の利点は、隣接するＴＲＰ間に干渉がないため、大幅に改善されるチャネル推定性能を含むが、これに限定されない。これは、従って、通信システムのリンク及びシステムスループットを向上させ、従来の手法を上回る大きい利益を提供することができる。更に、これにより、結果として先進通信システムの大幅な性能向上をもたらすことができる。
【００８９】
本明細書中で検討する種々の態様は、複数のＴＲＰシナリオに向けられている。ＴＲＰ間の準静的協調は、Ｘ２シグナリングを介して可能である。複数のＴＲＰは、各ランクのための最大ランク及びポート番号に関する情報を交換することができる。情報の交換に基づいて、ＤＭＲＳへの干渉をほぼゼロに低減及び／又は軽減することができる。以下の非限定的な表６の例は、各ＴＲＰのためのランク１送信に用いることができる。
【００９０】
【表６】
2022501932.tif 000008
【００９１】
更に、以下の非限定的な表７の例は、各ＴＲＰのためのランク２送信に用いることができる。
【００９２】
【表７】
2022501932.tif 000009
【００９３】
データのないＣＤＭグループを示すインデックスが用いられていることに留意されたい。これは、一方のＴＲＰがインデックスを用いる場合、他方のＴＲＰがそれらのリソースに関するデータをスケジュール設定しないことを示す。従って、ＤＭＲＳリソース要素への干渉を回避することができる。
【００９４】
別の実施形態において、ランク１に対して、ポートの数は、システムの負荷に基づいて割り当てることができる。例えば、第１のＴＲＰが高いトラフィック負荷に遭遇している場合、第１のＴＲＰは、第２のＴＲＰよりも高い数のＤＭＲＳポートを取ることができ、それによってＤＭＲＳ割り当てを負荷分散することができる。
【００９５】
別の実施形態において、ネットワークは、ＣＳＩ−ＲＳ等の他の基準信号への干渉を除去するために同様の手順を用いることができる。例えば、ネットワーク（例えば、第１のＴＲＰ）は、第２のＴＲＰへの非ゼロ電力ＣＳＩ−ＲＳ割り当てを示すことができ、第２のＴＲＰは、干渉が最小化されるようにこれらのリソースでＺＰ−ＣＳＩ−ＲＳを用いることができ、逆の場合も同様である。この場合、ネットワークは、他のＴＲＰに対してＣＳＩ−ＲＳの周期性を示す必要があることに留意されたい。
【００９６】
別の実施形態において、第１のＴＲＰは、ＰＴＲＳ  ＲＥを第２のＴＲＰに示し、第２のＴＲＰは、ＰＴＲＳへの干渉が最小化されるように、これらのリソースでゼロ電力ＣＳＩ−ＲＳを用いる。
【００９７】
別の実施形態において、第１のＴＲＰは、追跡ＴＲＳ  ＲＥを第２のＴＲＰに示し、第２のＴＲＰは、ＴＲＳへの干渉が最小化されるように、これらのリソースでゼロ電力ＣＳＩ−ＲＳを用いる。この場合、ネットワークは、ＣＳＩ−ＲＳと同様に、ＴＲＳの周期性を示す必要があることに留意されたい。
【００９８】
図９は、本明細書中に説明する１つ以上の実施形態による、複数の送信ポイントを含む先進ネットワークにおける性能の向上を促進するための例示的で非限定的なシステム９００も示す。本開示において説明するシステム（例えば、システム９００等）、装置又はプロセスの態様は、機械において具現化される（例えば、１つ以上の機械に関連付けられる１つ以上のコンピューター可読媒体において具現化される）機械実行可能構成要素を構成することができる。かかる構成要素は、１つ以上の機械（例えば、コンピューター、コンピューティングデバイス、仮想マシン等）によって実行されると、説明する動作を機械に実行させることができる。
【００９９】
種々の実施形態において、システム９００は、プロセッサを含み、且つ／又は有線及び／若しくは無線ネットワークにより有効及び／若しくは動作可能に通信することができる可能性のある任意のタイプの構成要素、機械、デバイス、設備、装置及び／若しくは機器であり得る。システム９００を構成することができる構成要素、機械、装置、デバイス、設備及び／又は機器は、タブレットコンピューティングデバイス、ハンドヘルドデバイス、サーバークラスコンピューティングマシン及び／又はデータベース、ラップトップコンピューター、ノートブックコンピューター、デスクトップコンピューター、携帯電話、スマートフォン、消費者向け機器及び／又は器具、産業用及び／又は商用デバイス、ハンドヘルドデバイス、デジタルアシスタント、マルチメディアインターネット対応電話、マルチメディアプレーヤー等を含むことができる。
【０１００】
図９に示すように、システム９００は、モバイルデバイス９０２、第１のネットワークデバイス９０４及び第２のネットワークデバイス９０６を含むことができる。第１のネットワークデバイス９０４は、第２のネットワークデバイス９０６を含むことができる無線ネットワークのネットワークデバイスのグループ内に含めることができる。単一の通信デバイス及び２つのネットワークデバイスのみが示され、説明されているが、種々の態様は、この実装形態に限定されない。代わりに、複数の通信デバイス及び／又は複数のネットワークデバイスは、通信システム内に含めることができる。
【０１０１】
モバイルデバイス９０２は、送信機／受信機構成要素９０８、少なくとも１つのメモリ９１０、少なくとも１つのプロセッサ９１２及び少なくとも１つのデータストア９１４を含むことができる。第２のネットワークデバイス９０６は、送信機／受信機構成要素９１６、少なくとも１つのメモリ９１８、少なくとも１つのプロセッサ９２０及び少なくとも１つのデータストア９２２を含むことができる。更に、第１のネットワークデバイス９０４は、分析構成要素９２４、選択構成要素９２６、スケジューラ構成要素９２８、通信構成要素９３０、環境設定構成要素９３２、少なくとも１つのメモリ９３４、少なくとも１つのプロセッサ９３６及び少なくとも１つのデータストア９３８を含むことができる。
【０１０２】
分析構成要素９２４は、モバイルデバイス９０２への第１の送信のそれぞれのランクのためのそれぞれのポート番号を特定することができる。幾つかの実装形態によれば、第１の送信のそれぞれのランクのためのそれぞれのポート番号を示す情報は、第２のネットワークデバイス９０６に（例えば、通信構成要素９３０を介して）送信することができる。
【０１０３】
更に、通信構成要素９３０は、第２のネットワークデバイス９０６から（例えば、送信機／受信機構成要素９１６を介して）、第２の送信のランクのためのポート番号に関連付けられる第１の復調基準信号の指示を受信することができる。第２の送信は、第２のネットワークデバイス９０６から（例えば、送信機／受信機構成要素９１６を介して）モバイルデバイス９０２に送信されるようにスケジュール設定される送信であり得る。例えば、指示は、Ｘ２通信プロトコルを介して受信され得る。
【０１０４】
通信構成要素９３０は、モバイルデバイス９０２への第１の送信の伝達を容易にすることができる。幾つかの実装形態によれば、第１の送信の伝達は、第５世代無線ネットワーク通信プロトコルに従って動作するように構成されるダウンリンクチャネルを介して容易にされ得る。
【０１０５】
一例において、第１の送信は、第２の送信に関連付けられるポート番号と異なるポート番号に関する第２の復調基準信号を含み得る。従って、選択構成要素９２６は、第２の復調基準信号が第１の復調基準信号と干渉しないように第２の復調基準信号を選択することができる。例えば、第１の復調基準信号は、第２の復調基準信号と異なるリソース要素に配置され得る。
【０１０６】
幾つかの実装形態によれば、第２のネットワークデバイス９０６からの指示は、第２のネットワークデバイス９０６の第１のトラフィック負荷に関する情報を含み得る。従って、スケジューラ構成要素９２８は、第２のネットワークデバイス９０６の第１のトラフィック負荷と、第１のネットワークデバイス９０４の第２のトラフィック負荷との間の差に基づいて、ポート番号に関する第２の復調基準信号をスケジュール設定することができる。
【０１０７】
幾つかの実装形態によれば、第２のネットワークデバイス９０６からの指示は、第２のネットワークデバイス９０６の第１のチャネル状態情報基準信号に関連付けられるリソース要素の第１のグループに関する情報を含み得る。従って、環境設定構成要素９３２は、リソース要素の第１のグループに対応するリソース要素の第２のグループにおいてゼロ電力を有するように第２のチャネル状態情報基準信号を構成することができる。
【０１０８】
第２のネットワークデバイス９０６からの指示は、幾つかの実装形態によれば、第２のネットワークデバイス９０６の第１の位相追跡基準信号に関連付けられるリソース要素の第１のグループに関する情報を含み得る。この場合、環境設定構成要素９３２は、リソース要素の第１のグループに対応するリソース要素の第２のグループにおいてゼロ電力を有するようにチャネル状態情報基準信号を構成することができる。
【０１０９】
送信機／受信機構成要素９０８は、第１のネットワークデバイス９０４、第２のネットワークデバイス９０６、他のネットワークデバイス及び／又は他のモバイルデバイスにデータを送信し、且つ／又はそれらから受信するように構成することができる。送信機／受信機構成要素９０８を介して、モバイルデバイス９０２は、データを同時に送信及び受信することができるか、異なる時間にデータを送信及び受信することができるか、又はそれらの組み合わせを行うことができる。更に、送信機／受信機構成要素９１６は、モバイルデバイス９０２、第１のネットワークデバイス９０４、他のモバイルデバイス、他のネットワークデバイス及び／又は他のモバイルデバイスにデータを送信し、且つ／又はそれらから受信するように構成することができる。送信機／受信機構成要素９１６を介して、第２のネットワークデバイス９０６は、データを同時に送信及び受信することができるか、異なる時間にデータを送信及び受信することができるか、又はそれらの組み合わせを行うことができる。更に、通信構成要素９３０は、モバイルデバイス９０２、第２のネットワークデバイス９０６、他のモバイルデバイス及び／又は他のネットワークデバイスにデータを送信し、且つ／又はそれらから受信するように構成することができる。通信構成要素９３０を介して、第１のネットワークデバイス９０４は、データを同時に送信及び受信することができるか、異なる時間にデータを送信及び受信することができるか、又はそれらの組み合わせを行うことができる。
【０１１０】
少なくとも１つのメモリ９１０は、少なくとも１つのプロセッサ９１２に動作可能に接続することができる。少なくとも１つのメモリ９１０は、少なくとも１つのプロセッサ９１２によって実行されると、動作の実行を容易にすることができる実行可能命令を格納することができる。更に、少なくとも１つのプロセッサ９１２は、少なくとも１つのメモリ９１０に格納されるコンピューター実行可能構成要素を実行するために利用することができる。更に、少なくとも１つのメモリ９１８は、少なくとも１つのプロセッサ９２０に動作可能に接続することができる。少なくとも１つのメモリ９１８は、少なくとも１つのプロセッサ９２０によって実行されると、動作の実行を容易にすることができる実行可能命令を格納することができる。更に、少なくとも１つのプロセッサ９２０は、少なくとも１つのメモリ９１８に格納されるコンピューター実行可能構成要素を実行するために利用することができる。
【０１１１】
更に、少なくとも１つのメモリ９３４は、少なくとも１つのプロセッサ９３６に動作可能に接続することができる。少なくとも１つのメモリ９３４は、少なくとも１つのプロセッサ９３６によって実行されると、動作の実行を容易にすることができる実行可能命令を格納することができる。更に、少なくとも１つのプロセッサ９３６は、少なくとも１つのメモリ９３４に格納されるコンピューター実行可能構成要素を実行するために利用することができる。
【０１１２】
例えば、少なくとも１つのメモリ９３４は、本明細書中で検討するように、複数の送信ポイントを有する先進ネットワークにおける向上した性能に関連するプロトコルを格納することができる。更に、少なくとも１つのメモリ９３４は、第１のネットワークデバイス９０４が、本明細書中で検討するように、複数の送信ポイントを有する無線ネットワークにおける向上した通信を達成するために格納されたプロトコル及び／又はアルゴリズムを用いることができるように、第１のネットワークデバイス９０４、第２のネットワークデバイス９０６、モバイルデバイス９０２、他のネットワークデバイス及び／又は他のモバイルデバイスとの間の通信を制御するアクションを容易にすることができる。
【０１１３】
本明細書中に説明するデータストア（例えば、メモリ）構成要素は、揮発性メモリ若しくは不揮発性メモリのいずれかであり得るか、又は揮発性メモリ及び不揮発性メモリの両方を含み得ることを認識するべきである。例として、限定はしないが、不揮発性メモリは、リードオンリーメモリ（ＲＯＭ）、プログラマブルＲＯＭ（ＰＲＯＭ）、電気的プログラマブルＲＯＭ（ＥＰＲＯＭ）、電気的消去可能ＲＯＭ（ＥＥＰＲＯＭ）又はフラッシュメモリを含むことができる。揮発性メモリは、外部キャッシュメモリとして機能するランダムアクセスメモリ（ＲＡＭ）を含むことができる。例として、限定はしないが、ＲＡＭは、同期ＲＡＭ（ＳＲＡＭ）、ダイナミックＲＡＭ（ＤＲＡＭ）、同期ＤＲＡＭ（ＳＤＲＡＭ）、ダブルデータレートＳＤＲＡＭ（ＤＤＲ  ＳＤＲＡＭ）、拡張ＳＤＲＡＭ（ＥＳＤＲＡＭ）、同期リンクＤＲＡＭ（ＳＬＤＲＡＭ）及びダイレクトラムバスＲＡＭ（ＤＲＲＡＭ）等の多くの形態で入手可能である。開示する態様のメモリは、これら及び他の適切なタイプのメモリを含むことを意図しているが、これらに限定されない。
【０１１４】
少なくとも１つのプロセッサ９１２は、複数の送信ポイントを有する先進ネットワークにおける向上した性能に関する情報のそれぞれの分析を容易にすることができる。少なくとも１つのプロセッサ９１２は、受信した情報を分析及び／又は生成するための専用のプロセッサ、モバイルデバイス９０２の１つ以上の構成要素を制御するプロセッサ及び／又は受信した情報を分析及び生成することの両方を行い、モバイルデバイス９０２の１つ以上の構成要素を制御するプロセッサであり得る。更に、少なくとも１つのプロセッサ９２０は、複数の送信ポイントを有する先進ネットワークにおける向上した性能に関する情報のそれぞれの分析を容易にすることができる。少なくとも１つのプロセッサ９２０は、受信した情報を分析及び／又は生成するための専用のプロセッサ、第２のネットワークデバイス９０６の１つ以上の構成要素を制御するプロセッサ及び／又は受信した情報を分析及び生成することの両方を行い、第２のネットワークデバイス９０６の１つ以上の構成要素を制御するプロセッサであり得る。
【０１１５】
更に、少なくとも１つのプロセッサ９３６は、複数の送信ポイントを有する先進ネットワークにおける性能の向上に関する情報のそれぞれの分析を容易にすることができる。少なくとも１つのプロセッサ９３６は、受信した情報を分析及び／又は生成するための専用のプロセッサ、第１のネットワークデバイス９０４の１つ以上の構成要素を制御するプロセッサ及び／又は受信した情報を分析及び生成することの両方を行い、第１のネットワークデバイス９０４の１つ以上の構成要素を制御するプロセッサであり得る。
【０１１６】
更に、ネットワークデバイス（例えば、ネットワークノード、ネットワークノードデバイス）という用語は、モバイルデバイスをサービングし、且つ／又は他のネットワークノード、ネットワーク要素若しくはモバイルデバイスがそれから無線信号を受信することができる別のネットワークノードに接続される任意のタイプのネットワークノードを指すために本明細書において用いられる。セルラー無線アクセスネットワーク（例えば、ユニバーサル移動体通信システム（ＵＭＴＳ）ネットワーク）において、ネットワークノードは、ベーストランシーバー基地局（ＢＴＳ）、無線基地局、無線ネットワークノード、基地局、ＮｏｄｅＢ、ｅＮｏｄｅＢ（例えば、発展型Ｎｏｄｅ  Ｂ）等と称することができる。５Ｇ用語において、ネットワークノードは、ｇＮｏｄｅＢ（例えば、ｇＮＢ）デバイスと称することができる。ネットワークノードは、種々の伝送動作（例えば、ＭＩＭＯ動作）を実行するための複数のアンテナを含むこともできる。ネットワークノードは、キャビネット及び他の保護された筐体、アンテナマスト及び実際のアンテナを含み得る。ネットワークノードは、アンテナの構成及び種類に応じて、セクターとも呼ばれる幾つかのセルに対応することができる。ネットワークノード（例えば、ネットワークノードデバイス８０４）の例は、ＮｏｄｅＢデバイス、基地局（ＢＳ）デバイス、アクセスポイント（ＡＰ）デバイス及び無線アクセスネットワーク（ＲＡＮ）デバイスを含むことができるが、これらに限定されない。ネットワークノードは、ＭＳＲ  ＢＳ、ｅＮｏｄｅ  Ｂ、ネットワークコントローラ、無線ネットワークコントローラ（ＲＮＣ）、基地局コントローラ（ＢＳＣ）、リレー、ドナーノード制御リレー、ベーストランシーバー基地局（ＢＴＳ）、送信ポイント、送信ノード、リモート無線ユニット（ＲＲＵ）、リモート無線ヘッド（ＲＲＨ）、分散アンテナシステム（ＤＡＳ）内のノード等を含むマルチスタンダード無線（ＭＳＲ）無線ノードデバイスも含み得る。
【０１１７】
図１０は、本明細書中に説明する１つ以上の実施形態による、複数の送信ポイントを有する先進ネットワークにおける向上した性能を促進するための例示的で非限定的なコンピューター実装方法１０００のフロー図を示す。本明細書中に説明する他の実施形態において用いられる同様の要素の繰り返しの説明は、簡潔にするために省略している。
【０１１８】
幾つかの実装形態において、プロセッサを含むシステムは、コンピューター実装方法１０００及び／又は本明細書中で検討する他の方法を実行することができる。他の実装形態において、プロセッサを含むデバイスは、コンピューター実装方法１０００及び／又は本明細書中で検討する他の方法を実行することができる。他の実装形態において、機械可読記憶媒体は、プロセッサによって実行されると、動作の実行を容易にする実行可能命令を含み得、これは、コンピューター実装方法１０００及び／又は本明細書中で検討する他の方法に関して検討する動作であり得る。更なる実装形態において、コンピューター可読記憶装置は、実行に応答して、プロセッサを含むシステムに動作を実行させる実行可能命令を含み、これは、コンピューター実装方法１０００及び／又は本明細書中で検討する他の方法に関して検討する動作であり得る。
【０１１９】
コンピューター実装方法１０００は、第１のネットワークがランクのグループのランクのためのそれぞれのポート番号を特定する（例えば、分析構成要素９２４を介して）場合、１００２において開始する。一例において、それぞれのポート番号を特定することは、使用可能なポートをポートの２つのグループに分割することを含み得る。幾つかの実装形態によれば、ランクのグループのランクのためのそれぞれのポート番号の指示は、第２のネットワークデバイスに送信され得る。
【０１２０】
更に、コンピューター実装方法１０００の１００４において、第１のネットワークデバイスは、ランクのグループのランクのためのそれぞれの復調基準信号ポートを示す情報を（例えば、通信構成要素９３０を介して）受信することができる。情報は、第２のネットワークデバイスから受信され得る。幾つかの実装形態において、それぞれの復調基準信号ポートのリソース要素は、第２のネットワークデバイスによる使用のために予約され得る。従って、第１のネットワークデバイスは、それぞれの復調基準信号ポートのリソース要素上でデータ送信をスケジュール設定することを回避することができる。
【０１２１】
第１のネットワークデバイスは、コンピューター実装方法１０００の１００６において、モバイルデバイスに、モバイルデバイスがそれぞれのポート番号でスケジュール設定されることに基づいて（例えば、通信構成要素９３０を介して）データを送信することができる。例えば、モバイルデバイスは、ランクのグループのランクのためのそれぞれのポート番号でスケジュール設定され得る。幾つかの実装形態によれば、データを送信することは、第５世代無線ネットワーク通信プロトコルに従って動作するように構成されるダウンリンクチャネルを介してデータを送信することを含み得る。
【０１２２】
幾つかの実装形態において、コンピューター実装方法は、第１のネットワークデバイスにより、第２のネットワークデバイスの送信との準静的協調を実行することを含み得る。これらの実装形態に加えて、コンピューター実装方法は、第１のネットワークデバイスにより、準静的協調の実行に基づいて復調基準信号への干渉を低減することも含み得る。
【０１２３】
本明細書中に説明するのは、複数の送信ポイントを有する先進ネットワークにおける向上した性能を促進することができるシステム、方法、製品及び他の実施形態又は実装形態である。複数の送信ポイントを有する先進ネットワークにおける向上した性能を促進することは、通信ネットワークへの接続を有する任意のタイプのデバイス（例えば、モバイルハンドセット、コンピューター、ハンドヘルドデバイス等）、任意のモノのインターネット（ＩｏＴ）デバイス（例えば、トースター、コーヒーメーカー、ブラインド、音楽プレーヤー、スピーカー等）及び／又は任意のコネクテッドビークル（車、飛行機、宇宙ロケット及び／又は他の少なくとも部分的に自動化されたビークル（例えば、ドローン））に関連して実施することができる。幾つかの実施形態では、ユーザー機器（ＵＥ）という非限定的な用語が使用される。この用語は、セルラー通信システム又はモバイル通信システムにおいて無線ネットワークノードと通信する任意のタイプの無線デバイスを指すことができる。ＵＥの例は、ターゲットデバイス、デバイスツーデバイス（Ｄ２Ｄ）ＵＥ、マシンタイプＵＥ、マシンツーマシン（Ｍ２Ｍ）通信が可能なＵＥ、ＰＤＡ、タブレット、モバイル端末、スマートフォン、ラップトップ組み込み型機器（ＬＥＥ）、ラップトップ搭載型機器（ＬＭＥ）、ＵＳＢドングル等である。１つの要素、複数の要素及びアンテナポートという用語は、本開示では区別なく用いられる可能性があるが、同じ意味を有することに留意されたい。実施形態は、ＵＥのシングルキャリア及びマルチキャリア（ＭＣ）又はキャリアアグリゲーション（ＣＡ）動作に適用可能である。キャリアアグリゲーション（ＣＡ）という用語は、「マルチキャリアシステム」、「マルチセル動作」、「マルチキャリア動作」、「マルチキャリア」送信及び／又は受信とも呼ばれる（例えば、同義で呼ばれる）。
【０１２４】
幾つかの実施形態では、無線ネットワークノード又は単にネットワークノードという非限定的な用語が使用される。この用語は、１つ以上のＵＥにサービングし、且つ／又は他のネットワークノード若しくはネットワーク要素に結合される任意のネットワークノード又は１つ以上のＵＥが信号を受信する送信元である任意のタイプの無線ノードを指すことができる。無線ネットワークノードの例は、Ｎｏｄｅ  Ｂ、基地局（ＢＳ）、マルチスタンダード無線（ＭＳＲ）ノード、例えばＭＳＲ  ＢＳ、ｅＮｏｄｅ  Ｂ、ネットワークコントローラ、無線ネットワークコントローラ（ＲＮＣ）、基地局コントローラ（ＢＳＣ）、中継器、ドナーノード制御中継器、ベース送受信機局（ＢＴＳ）、アクセスポイント（ＡＰ）、送信ポイント、送信ノード、ＲＲＵ、ＲＲＨ、分散アンテナシステム（ＤＡＳ）におけるノード等である。
【０１２５】
クラウド無線アクセスネットワーク（ＲＡＮ）は、６Ｇネットワークにおけるソフトウェア定義ネットワーク（ＳＤＮ）及びネットワーク機能仮想化（ＮＦＶ）等の概念の実施を可能にすることができる。本開示は、６Ｇネットワークのための包括的なチャネル状態情報フレームワーク設計を容易にすることができる。本開示の幾つかの特定の実施形態は、ネットワーク内のトラフィックのルーティング及びネットワークとトラフィック宛先との間のトラフィックのルーティングを制御することができるＳＤＮコントローラを含むことができる。ＳＤＮコントローラは、６Ｇネットワークアーキテクチャと統合して、オープンアプリケーションプログラミングインターフェース（ＡＰＩ）を介してサービス配信を可能にするとともに、ネットワークコアを全インターネットプロトコル（ＩＰ）、クラウドベース及びソフトウェア駆動電気通信ネットワークに移すことができる。ＳＤＮコントローラは、ポリシー及び課金ルール機能（ＰＣＲＦ）ネットワーク要素とともに機能するか、又はこの要素の代理を務めることができ、それによりサービス品質並びにトラフィック管理及びルーティング等のポリシーを同期してエンドツーエンドで管理することができる。
【０１２６】
図１１は、本明細書において説明される開示の主題の１つ以上の態様を実施及び活用することができるモバイルネットワークプラットフォーム１１１０の例示的な実施形態１１００を提示する。概して、無線ネットワークプラットフォーム１１１０は、パケット交換（ＰＳ）トラフィック（例えば、インターネットプロトコル（ＩＰ）、フレームリレー、非同期転送モード（ＡＴＭ））と、回線交換（ＣＳ）トラフィック（例えば、音声及びデータ）との両方及びネットワーク化無線電気通信のための制御生成を容易にする構成要素、例えばノード、ゲートウェイ、インターフェース、サーバー又は異種のプラットフォームを含むことができる。非限定的な例として、無線ネットワークプラットフォーム１１１０を、本明細書の他の箇所で論述したように電気通信キャリアネットワーク内に含めて、キャリア側構成要素と見なすことができる。モバイルネットワークプラットフォーム１１１０は、電話網１１４０（例えば、公衆交換電話網（ＰＳＴＮ）又は公衆陸上モバイルネットワーク（ＰＬＭＮ））若しくはシグナリングシステム＃７（ＳＳ７）ネットワーク１１６０のようなレガシーネットワークから受信されたＣＳトラフィックとインターフェースすることができるＣＳゲートウェイノード１１１２を含む。回路交換ゲートウェイノード１１１２は、そのようなネットワークから生じたトラフィック（例えば、音声）を認可及び認証することができる。加えて、ＣＳゲートウェイノード１１１２は、ＳＳ７ネットワーク１１６０を通して生成されたモビリティデータ又はローミングデータ、例えば在圏ロケーションレジスタ（ＶＬＲ）内に記憶されたモビリティデータにアクセスすることができ、ＶＬＲは、メモリ１１３０内に常駐することができる。更に、ＣＳゲートウェイノード１１１２は、ＣＳベーストラフィック及びシグナリング並びにＰＳゲートウェイノード１１１８にインターフェースする。一例として、３ＧＰＰ  ＵＭＴＳネットワークでは、ＣＳゲートウェイノード１１１２は、ゲートウェイＧＰＲＳサポートノード（ＧＧＳＮ）において少なくとも部分的に実現することができる。ＣＳゲートウェイノード１１１２、ＰＳゲートウェイノード１１１８及びサービングノード１１１６の機能及び特定の動作は、電気通信のためにモバイルネットワークプラットフォーム１１１０が利用する無線技術によって提供及び命令されることを理解すべきである。モバイルネットワークプラットフォーム１１１０は、本明細書中に開示するＭＭＥ、ＨＳＳ／ＰＣＲＦ、ＳＧＷ及びＰＧＷも含むことができる。
【０１２７】
ＣＳ交換トラフィック及びシグナリングの受信及び処理に加えて、ＰＳゲートウェイノード１１１８は、サービングされるモバイルデバイスとのＰＳベースデータセッションを認可及び認証することができる。データセッションは、ワイドエリアネットワーク（ＷＡＮ）１１５０、ローカルエリアネットワーク（ＬＡＮ）において具現化することができるとともに、ＰＳゲートウェイノード１１１８を通してモバイルネットワークプラットフォーム１１１０にインターフェースすることもできる企業ネットワーク１１７０及びサービスネットワーク１１８０のような、無線ネットワークプラットフォーム１１１０に対して外部のネットワークと交換されるトラフィック又はコンテンツを含むことができる。ＷＡＮ１１５０及び企業ネットワーク１１７０は、ＩＰマルチメディアサブシステム（ＩＭＳ）のようなサービスネットワークを少なくとも部分的に具現化し得ることに留意されたい。技術リソース１１１７において利用可能な無線技術レイヤに基づいて、パケット交換ゲートウェイノード１１１８は、データセッションが確立されると、パケットデータプロトコルコンテキストを生成することができる。パケット化データのルーティングを容易にする他のデータ構造も生成することができる。そのために、一態様では、ＰＳゲートウェイノード１１１８は、Ｗｉ−Ｆｉネットワーク等、異種の無線ネットワークとのパケット化通信を容易にすることができるトンネルインターフェース（例えば、３ＧＰＰ  ＵＭＴＳネットワークにおけるトンネル終端ゲートウェイ（ＴＴＧ）（図示せず））を含むことができる。
【０１２８】
実施形態１１００では、無線ネットワークプラットフォーム１１１０は、技術リソース１１１７内の利用可能な無線技術レイヤに基づいて、ＰＳゲートウェイノード１１１８を通して受信されたデータストリームの種々のパケット化フローを伝達するサービングノード１１１６も含む。主にＣＳ通信に依拠する技術リソース１１１７の場合、サーバーノードは、ＰＳゲートウェイノード１１１８に依拠することなくトラフィックを伝送することができ、例えば、サーバーノードは、モバイルスイッチングセンターを少なくとも部分的に具現化し得ることに留意されたい。一例として、３ＧＰＰ  ＵＭＴＳネットワークでは、サービングノード１１１６をサービングＧＰＲＳサポートノード（ＳＧＳＮ）において具現化することができる。
【０１２９】
パケット化通信を活用する無線技術の場合、無線ネットワークプラットフォーム１１１０内のサーバー１１１４は、複数の異種のパケット化データストリーム又はフローを生成し、このようなフローを管理（例えば、スケジュール設定、キューイング、フォーマット化等）することができる多のアプリケーションを実行することができる。このようなアプリケーションは、無線ネットワークプラットフォーム１１１０によって提供される標準的なサービスに対するアドオン特徴（例えば、プロビジョニング、請求、顧客サポート等）を含むことができる。データストリーム（例えば、音声呼又はデータセッションの一部であるコンテンツ）を、データセッションの認可／認証及び開始のためにＰＳゲートウェイノード１１１８に送達するとともに、その後の通信のためにサービングノード１１１６に送達することができる。アプリケーションサーバーに加えて、サーバー１１１４は、ユーティリティサーバーを含むことができ、ユーティリティサーバーは、プロビジョニングサーバー、運用及び保守サーバー、認証局及びファイアウォール並びに他のセキュリティメカニズムを少なくとも部分的に実装することができるセキュリティサーバー等を含むことができる。一態様では、セキュリティサーバーは、ＣＳゲートウェイノード１１１２及びＰＳゲートウェイノード１１１８が確立することができる認可及び認証手順に加えて、ネットワークの運用及びデータインテグリティを保証するために、無線ネットワークプラットフォーム１１１０を通してサービングされる通信をセキュア化する。更に、プロビジョニングサーバーは、異種のサービスプロバイダーによって運用されるネットワークのような外部ネットワーク、例えばＷＡＮ１１５０又は全地球測位システム（ＧＰＳ）ネットワーク（図示せず）からのサービスをプロビジョニングすることができる。プロビジョニングサーバーは、（例えば、同じサービスプロバイダーによって展開及び運用される）無線ネットワークプラットフォーム１１１０に関連付けられたネットワーク、例えばＵＥ１１７５を介した家庭環境内又はビジネス環境内での加入者サービス体験を向上させるために、屋内の限られた空間内における無線サービスカバレッジを向上させ、ＲＡＮをオフロードするフェムトセルネットワーク（図示せず）を通してカバレッジもプロビジョニングすることができる。
【０１３０】
サーバー１１１４は、マクロネットワークプラットフォーム１１１０の機能を少なくとも部分的に与えるように構成された１つ以上のプロセッサを含み得ることに留意されたい。そのために、１つ以上のプロセッサは、例えば、メモリ１１３０に記憶されたコード命令を実行することができる。サーバー１１１４は、前述したのと実質的に同じように動作するコンテンツマネージャー１１１５を含み得ることを理解すべきである。
【０１３１】
例示的な実施形態１１００では、メモリ１１３０は、無線ネットワークプラットフォーム１１１０の運用に関する情報を記憶することができる。他の運用情報は、無線プラットフォームネットワーク１１１０、加入者データベースを通してサービングされたモバイルデバイスのプロビジョニング情報、アプリケーションインテリジェンス、価格決定方式、例えばプロモーション率、フラットレートプログラム、クーポンキャンペーン、異種の無線技術レイヤの動作のための電気通信プロトコルと整合性のとれた技術的仕様等を含むことができる。メモリ１１３０は、電話網１１４０、ＷＡＮ１１５０、企業ネットワーク１１７０又はＳＳ７ネットワーク１１６０の少なくとも１つからの情報も記憶することができる。一態様では、メモリ１１３０は、例えば、データストア構成要素の一部として又は遠隔接続メモリストアとしてアクセスすることができる。
【０１３２】
ここで、図１２を参照すると、本明細書において説明される１つ以上の実施形態による、無線通信を容易にするシステムアーキテクチャにおいて関与するように動作可能である例示的なモバイルハンドセット１２００の例示的なブロック図が示されている。モバイルハンドセットが本明細書で示されているが、他のデバイスは、モバイルデバイスであり得ること、及びモバイルハンドセットは、本明細書において説明される種々の実施形態のうちの実施形態についての状況を提供するために示されているにすぎないことが理解されるであろう。以下の論述は、種々の実施形態を実施することができる、適した環境の例についての簡潔な一般的説明を提供することを意図している。説明は、機械可読記憶媒体上で具現化されるコンピューター実行可能命令の一般的な状況を含むが、革新は、他のプログラムモジュールと組み合わせて且つ／又はハードウェア及びソフトウェアの組み合わせとしても実施され得ることを当業者であれば認識するであろう。
【０１３３】
一般に、アプリケーション（例えば、プログラムモジュール）は、特定のタスクを実行するか又は特定の抽象データタイプを実装するルーチン、プログラム、構成要素、データ構造等を含むことができる。更に、本明細書で述べる方法は、それぞれを１つ以上の関連するデバイスに動作可能に結合することができる、単一プロセッサ又はマルチプロセッサシステム、ミニコンピューター、メインフレームコンピューター並びにパーソナルコンピューター、ハンドヘルドコンピューティングデバイス、マイクロプロセッサベース又はプログラマブル消費者向け電子機器等を含む他のシステム構成とともに実施され得ることを当業者であれば理解するであろう。
【０１３４】
コンピューティングデバイスは、通常、種々の機械可読媒体を含むことができる。機械可読媒体は、コンピューターによってアクセスすることができる任意の入手可能な媒体であり得、揮発性及び不揮発性媒体、取外し可能及び取外し不能媒体の両方を含む。例として、限定はしないが、コンピューター可読媒体は、コンピューター記憶媒体及び通信媒体を含むことができる。コンピューター記憶媒体は、コンピューター可読命令、データ構造、プログラムモジュール又は他のデータ等の情報を記憶するための任意の方法又は技術で実装される揮発性及び／又は不揮発性媒体、取外し可能及び／又は取外し不能媒体を含むことができる。コンピューター記憶媒体は、ＲＡＭ、ＲＯＭ、ＥＥＰＲＯＭ、フラッシュメモリ若しくは他のメモリ技術、ＣＤＲＯＭ、デジタルビデオディスク（ＤＶＤ）若しくは他の光ディスク記憶装置、磁気カセット、磁気テープ、磁気ディスク記憶装置若しくは他の磁気記憶デバイス又は所望の情報を記憶するために用いることができ、且つコンピューターによってアクセスすることができる任意の他の媒体を含むことができるが、それに限定されない。
【０１３５】
通信媒体は、通常、搬送波又は他の搬送機構等の被変調データ信号内でコンピューター可読命令、データ構造、プログラムモジュール又は他のデータを具現化し、任意の情報送達媒体を含む。「被変調データ信号」という用語は、信号内に情報を符号化するように設定又は変更されたその特性の１つ以上を有する信号を意味する。例として、限定はしないが、通信媒体は、有線ネットワーク又は直結される接続等の有線媒体並びに音響、ＲＦ、赤外線及び他の無線媒体等の無線媒体を含む。上記の任意のものの組み合わせもコンピューター可読媒体の範囲に含まれるべきである。
【０１３６】
ハンドセットは、全てのオンボード動作及び機能を制御及び処理するためのプロセッサ１２０２を含む。メモリ１２０４は、データ及び１つ以上のアプリケーション１２０６（例えば、ビデオプレイヤーソフトウェア、ユーザーフィードバック構成要素ソフトウェア等）を記憶するためにプロセッサ１２０２にインターフェースする。他のアプリケーションは、ユーザーフィードバック信号の始動を容易にする所定の音声コマンドの音声認識を含むことができる。アプリケーション１２０６は、メモリ１２０４及び／又はファームウェア１２０８に記憶し、メモリ１２０４又は／及びファームウェア１２０８のいずれか又は両方からプロセッサ１２０２によって実行することができる。ファームウェア１２０８は、ハンドセット１２００を初期化するときに実行するためのスタートアップコードも記憶することができる。通信構成要素１２１０は、外部システム、例えばセルラーネットワーク、ＶｏＩＰネットワーク等との有線／無線通信を容易にするためにプロセッサ１２０２にインターフェースする。ここで、通信構成要素１２１０は、対応する信号通信のために、適したセルラートランシーバー１２１１（例えば、ＧＳＭトランシーバー）及び／又は免許不要トランシーバー１２１３（例えば、Ｗｉ−Ｆｉ、ＷｉＭａｘ）も含むことができる。ハンドセット１２００は、携帯電話、モバイル通信能力を有するＰＤＡ及びメッセージングセントリックデバイス等のデバイスであり得る。また、通信構成要素１２１０は、地上無線ネットワーク（例えば、ブロードキャスト）、デジタル衛星無線ネットワーク及びインターネットベース無線サービスネットワークからの通信受信を容易にする。
【０１３７】
ハンドセット１２００は、テキスト、画像、ビデオ、電話機能（例えば、呼出し側ＩＤ機能）、セットアップ機能を表示するための、またユーザー入力のためのディスプレイ１２１２を含む。例えば、ディスプレイ１２１２は、マルチメディアコンテンツ（例えば、音楽メタデータ、メッセージ、壁紙、グラフィックス等）の提示を収容することができる「スクリーン」とも呼ぶことができる。ディスプレイ１２１２は、ビデオも表示することができ、ビデオクオートの生成、編集及び共有を容易にすることができる。シリアルＩ／Ｏインターフェース１２１４は、プロセッサ１２０２と通信状態で提供されて、ハードワイヤ接続及び他のシリアル入力デバイス（例えば、キーボード、キーパッド及びマウス）を通した有線及び／又は無線シリアル通信（例えば、ＵＳＢ及び／又はＩＥＥＥ  １３９４）を容易にする。これは、例えば、ハンドセット１２００を更新すること及びトラブルシューティングすることをサポートすることができる。オーディオ能力は、オーディオＩ／Ｏ構成要素１２１６によって提供され、オーディオＩ／Ｏ構成要素１２１６は、例えば、ユーザーフィードバック信号を始動するために適切なキー又はキー組み合わせをユーザーが押したという指示に関連するオーディオ信号を出力するためのスピーカーを含むことができる。また、オーディオＩ／Ｏ構成要素１２１６は、データ及び／又は電話音声データを記録するために、また電話会話のための音声信号を入力するために、マイクロフォンを通したオーディオ信号の入力を容易にする。
【０１３８】
ハンドセット１２００は、カード型加入者識別モジュール（ＳＩＭ）又はユニバーサルＳＩＭ１２２０のフォームファクターのＳＩＣ（加入者識別構成要素）を収容するための、またＳＩＭカード１２２０をプロセッサ１２０２にインターフェースするためのスロットインターフェース１２１８を含み得る。しかしながら、ＳＩＭカード１２２０をハンドセット１２００に入るように製造し、データ及びソフトウェアをダウンロードすることによって更新できることが理解される。
【０１３９】
ハンドセット１２００は、通信構成要素１２１０を通してＩＰデータトラフィックを処理して、ＩＳＰ又はブロードバンドケーブルプロバイダーを通して例えばインターネット、企業イントラネット、ホームネットワーク、パーソナルエリアネットワーク等のようなＩＰネットワークからＩＰトラフィックを収容することができる。そのため、ＶｏＩＰトラフィックは、ハンドセット１２００によって利用することができ、ＩＰベースマルチメディアコンテンツは、符号化フォーマット又は復号フォーマットで受信することができる。
【０１４０】
ビデオ処理構成要素１２２２（例えば、カメラ）は、符号化されたマルチメディアコンテンツを復号するために提供され得る。ビデオ処理構成要素１２２２は、ビデオクオートの生成、編集及び共有を容易にすることを支援し得る。ハンドセット１２００は、電池及び／又はＡＣ電力サブシステムの形態の電源１２２４も含み、電源１２２４は、電力Ｉ／Ｏ構成要素１２２６によって外部電力システム又は充電機器（図示せず）にインターフェースすることができる。
【０１４１】
ハンドセット１２００は、受信されたビデオコンテンツを処理し、ビデオコンテンツを記録及び送信するためのビデオ構成要素１２３０も含むことができる。例えば、ビデオ構成要素１２３０は、ビデオクオートの生成、編集及び共有を容易にすることができる。ロケーショントラッキング構成要素１２３２は、ハンドセット１２００を地理的に位置特定することを容易にする。上記で説明したように、これは、ユーザーがフィードバック信号を自動的に又は手動で始動するときに起こり得る。ユーザー入力構成要素１２３４は、ユーザーが品質フィードバック信号を始動することを容易にする。ユーザー入力構成要素１２３４もビデオクオートの生成、編集及び共有を容易にすることができる。ユーザー入力構成要素１２３４は、例えば、キーパッド、キーボード、マウス、スタイラスペン及び／又はタッチスクリーン等のこうした従来の入力デバイス技術を含むことができる。
【０１４２】
再度アプリケーション１２０６を参照すると、ヒステリシス構成要素１２３６は、アクセスポイントに関連付けるときを決定するために利用されるヒステリシスデータの解析及び処理を容易にする。Ｗｉ−Ｆｉトランシーバー１２１３がアクセスポイントのビーコンを検出すると、ヒステリシス構成要素１２３６のトリガーを容易にするソフトウェアトリガー構成要素１２３８が提供され得る。ＳＩＰクライアント１２４０は、ハンドセット１２００がＳＩＰプロトコルをサポートし、ＳＩＰレジスターサーバーに加入者を登録することを可能にする。アプリケーション１２０６は、マルチメディアコンテンツ、例えば音楽の少なくとも発見、再生及び記憶の能力を提供するクライアント１２４２も含むことができる。
【０１４３】
ハンドセット１２００は、通信構成要素１２１０に関連して上記で示したように、室内ネットワーク無線トランシーバー１２１３（例えば、Ｗｉ−Ｆｉトランシーバー）を含む。この機能は、デュアルモードＧＳＭハンドセット１２００についてＩＥＥＥ  ８０２．１１等の室内無線リンクをサポートする。ハンドセット１２００は、無線音声及びデジタル無線チップセットを組み合わせて単一ハンドヘルドデバイスにし得るハンドセットを通して少なくとも衛星無線サービスを収容することができる。
【０１４４】
ここで、図１３を参照すると、本明細書において説明される１つ以上の実施形態による、無線通信を容易にするシステムアーキテクチャにおいて関与するように動作可能である例示的なコンピューター１３００の例示的なブロック図が示されている。コンピューター１３００は、有線又は無線通信ネットワークと、サーバー（例えば、Ｍｉｃｒｏｓｏｆｔ社のサーバー）及び／又は通信デバイスとの間のネットワーク接続及び通信能力を提供することができる。その種々の態様について更なる状況を提供するために、図１３及び以下の論述は、革新の種々の態様を実施して、エンティティと第３者との間のトランザクションの確立を容易にすることができる、適したコンピューティング環境の簡潔な一般的説明を提供することを意図している。上記の説明は、１つ以上のコンピューター上で実行することができるコンピューター実行可能命令に一般的に関連するものであるが、革新は、他のプログラムモジュールと組み合わせて且つ／又はハードウェア及びソフトウェアの組み合わせとしても実施され得ることを当業者であれば認識するであろう。
【０１４５】
一般に、プログラムモジュールは、特定のタスクを実行するか又は特定の抽象データタイプを実装するルーチン、プログラム、構成要素、データ構造等を含む。更に、本発明の方法は、それぞれを１つ以上の関連するデバイスに動作可能に結合することができる、シングルプロセッサ又はマルチプロセッサコンピューターシステム、ミニコンピューター、メインフレームコンピューター及びパーソナルコンピューター、ハンドヘルドコンピューティングデバイス、マイクロプロセッサベース又はプログラマブル消費者向け電子機器等を含む、他のコンピューターシステム構成とともに実施され得ることを当業者であれば理解するであろう。
【０１４６】
革新の例示される態様は、特定のタスクが通信ネットワークを通してリンクされるリモート処理デバイスによって実行される分散型コンピューティング環境において実施することもできる。分散型コンピューティング環境では、プログラムモジュールをローカルメモリ記憶デバイス及びリモートメモリ記憶デバイス内の両方に配置することができる。
【０１４７】
コンピューティングデバイスは、通常、種々の媒体を含み、それらの媒体は、コンピューター可読記憶媒体又は通信媒体を含むことができ、その２つの用語は、以下のように本明細書において互いに異なって用いられる。
【０１４８】
コンピューター可読記憶媒体は、コンピューターによってアクセスすることができる任意の入手可能な記憶媒体であり得、揮発性及び不揮発性媒体、取外し可能及び取外し不能媒体の両方を含む。例として、限定はしないが、コンピューター可読記憶媒体は、コンピューター可読命令、プログラムモジュール、構造化データ又は非構造化データ等の情報を記憶するための任意の方法又は技術に関連して実現することができる。コンピューター可読記憶媒体は、限定はしないが、ＲＡＭ、ＲＯＭ、ＥＥＰＲＯＭ、フラッシュメモリ若しくは他のメモリ技術、ＣＤ−ＲＯＭ、デジタルバーサタイルディスク（ＤＶＤ）若しくは他の光ディスクストレージ、磁気カセット、磁気テープ、磁気ディスクストレージ若しくは他の磁気記憶デバイス又は所望の情報を記憶するために用いることができる他の有形及び／若しくは非一時的媒体を含むことができる。コンピューター可読記憶媒体は、媒体によって記憶される情報に関する種々の動作のために、例えばアクセス要求、問い合わせ又は他のデータ検索プロトコルを介して１つ以上のローカル又はリモートコンピューティングデバイスによってアクセスすることができる。
【０１４９】
通信媒体は、被変調データ信号、例えば搬送波又は他の搬送機構等のデータ信号においてコンピューター可読命令、データ構造、プログラムモジュール又は他の構造化若しくは非構造化データを具現化することができ、任意の情報送達又は搬送媒体を含む。「被変調データ信号」又は信号という用語は、１つ以上の信号内に情報を符号化するように設定又は変更される特性の１つ以上を有する信号を指している。例として、限定はしないが、通信媒体は、有線ネットワーク又は直結される接続等の有線媒体並びに音響、ＲＦ、赤外線及び他の無線媒体等の無線媒体を含む。
【０１５０】
図１３を参照すると、エンドユーザーデバイスに関して本明細書で述べる種々の態様を実装することは、処理ユニット１３０４、システムメモリ１３０６及びシステムバス１３０８を含むコンピューター１３００を含むことができる。システムバス１３０８は、限定はしないが、システムメモリ１３０６を含むシステム構成要素を処理ユニット１３０４に結合する。処理ユニット１３０４は、種々の市販のプロセッサのいずれかであり得る。処理ユニット１３０４として、デュアルマイクロプロセッサ及び他のマルチプロセッサアーキテクチャも利用することができる。
【０１５１】
システムバス１３０８は、種々の市販のバスアーキテクチャのいずれかを用いて、メモリバス（メモリコントローラを備えるか又は備えない）、周辺機器用バス及びローカルバスに更に相互接続することができる幾つかのタイプのバス構造のいずれかであり得る。システムメモリ１３０６は、リードオンリーメモリ（ＲＯＭ）１３２７及びランダムアクセスメモリ（ＲＡＭ）１３１２を含む。ＲＯＭ、ＥＰＲＯＭ、ＥＥＰＲＯＭ等の不揮発性メモリ１３２７内に基本入出力システム（ＢＩＯＳ）が記憶され、ＢＩＯＳは、起動中等、コンピューター１３００内の要素間で情報を転送することを促進する基本ルーチンを含む。ＲＡＭ１３１２は、データをキャッシュするためのスタティックＲＡＭ等の高速ＲＡＭも含むことができる。
【０１５２】
コンピューター１３００は、適切なシャーシ（図示せず）において外部で用いるように構成することもできる内部ハードディスクドライブ（ＨＤＤ）１３１４（例えば、ＥＩＤＥ、ＳＡＴＡ）と、磁気フロッピーディスクドライブ（ＦＤＤ）１３１６（例えば、取外し可能ディスケット１３１８に対する読出し又は書込み用）と、光ディスクドライブ１３２０（例えば、ＣＤ−ＲＯＭディスク１３２２の読出し又はＤＶＤのような他の大容量光学媒体に対する読出し若しくは書込み用）とを更に含む。ハードディスクドライブ１３１４、磁気ディスクドライブ１３１６及び光ディスクドライブ１３２０は、それぞれハードディスクドライブインターフェース１３２４、磁気ディスクドライブインターフェース１３２６及び光ドライブインターフェース１３２８により、システムバス１３０８に接続することができる。外部ドライブを実現するためのインターフェース１３２４は、ユニバーサルシリアルバス（ＵＳＢ）及びＩＥＥＥ  １３９４インターフェース技術の少なくとも一方又は両方を含む。他の外部ドライブ接続技術も本革新の考慮の範囲内にある。
【０１５３】
ドライブ及びその関連するコンピューター可読媒体は、データ、データ構造、コンピューター実行可能命令等の不揮発性記憶を提供する。コンピューター１３００の場合、ドライブ及び媒体は、適切なデジタルフォーマットにおいて任意のデータの記憶に対応する。上記のコンピューター可読媒体の説明は、ＨＤＤ、取外し可能磁気ディスケット及びＣＤ又はＤＶＤ等の取外し可能光媒体を参照するが、ジップドライブ、磁気カセット、フラッシュメモリカード、カートリッジ等、コンピューター１３００によって読出し可能である他のタイプの媒体も例示的な動作環境において使用できること、及び更に、任意のそのような媒体は、開示される革新の方法を実行するためのコンピューター実行可能命令を含み得ることが当業者によって理解されるべきである。
【０１５４】
ドライブ及びＲＡＭ１３１２内において、オペレーティングシステム１３３０、１つ以上のアプリケーションプログラム１３３２、他のプログラムモジュール１３３４及びプログラムデータ１３３６を含む複数のプログラムモジュールを記憶することができる。オペレーティングシステム、アプリケーション、モジュール及び／又はデータの全て又は一部をＲＡＭ１３１２にキャッシュすることもできる。革新は、種々の市販のオペレーティングシステム又はオペレーティングシステムの組み合わせによって実装され得ることが理解される。
【０１５５】
ユーザーは、１つ以上の有線／無線入力デバイス、例えばキーボード１３３８及びマウス１３４０等のポインティングデバイスを通して、コンピューター１３００にコマンド及び情報を入力することができる。他の入力デバイス（図示せず）は、マイクロフォン、ＩＲ遠隔制御、ジョイスティック、ゲームパッド、スタイラスペン、タッチスクリーン等を含むことができる。これらの入力デバイス及び他の入力デバイスは、多くの場合、システムバス１３０８に結合される入力デバイスインターフェース１３４２を通して処理ユニット１３０４に接続されるが、パラレルポート、ＩＥＥＥ  １３９４シリアルポート、ゲームポート、ＵＳＢポート、ＩＲインターフェース等の他のインターフェースによって接続することもできる。
【０１５６】
モニター１３４４又は他のタイプのディスプレイデバイスもビデオアダプター１３４６等のインターフェースを介してシステムバス１３０８に接続される。モニター１３４４に加えて、コンピューター１３００は、通常、スピーカー、プリンター等の他の周辺出力デバイス（図示せず）を含む。
【０１５７】
コンピューター１３００は、リモートコンピューター１３４８等の１つ以上のリモートコンピューターとの有線及び／又は無線通信を介した論理接続を用いてネットワーク化された環境において動作することができる。リモートコンピューター１３４８は、ワークステーション、サーバーコンピューター、ルーター、パーソナルコンピューター、ポータブルコンピューター、マイクロプロセッサ内蔵娯楽機器、ピアデバイス又は他の共通ネットワークノードであり得、通常、コンピューターに関して説明される要素の多く又は全てを含むが、簡潔にするために１つのメモリ／記憶デバイス１３５０のみが示される。図示される論理接続は、ローカルエリアネットワーク（ＬＡＮ）１３５２及び／又はより大きいネットワーク、例えばワイドエリアネットワーク（ＷＡＮ）１３５４への有線／無線接続を含む。そのようなＬＡＮ及びＷＡＮネットワーク化環境は、オフィス及び企業で一般的であり、その全てがグローバル通信ネットワーク、例えばインターネットに接続することができるイントラネット等の企業規模のコンピューターネットワークを容易にする。
【０１５８】
ＬＡＮネットワーク化環境において用いられるとき、コンピューター１３００は、有線及び／又は無線通信ネットワークインターフェース又はアダプター１３５６を通してローカルネットワーク１３５２に接続される。アダプター１３５６は、ＬＡＮ１３５２との有線又は無線通信を容易にすることができ、ＬＡＮ１３５２は、それに配置され、無線アダプター１３５６と通信するための無線アクセスポイントも含むことができる。
【０１５９】
ＷＡＮネットワーク化環境において用いられるとき、コンピューター１３００は、モデム１３５８を含むことができるか、又はＷＡＮ１３５４上の通信サーバーに接続されるか、又は例えばインターネットにより、ＷＡＮ１３５４を介して通信を確立するための他の手段を有する。モデム１３５８は、内部又は外部及び有線又は無線デバイスであり得、入力デバイスインターフェース１３４２を介してシステムバス１３０８に接続される。ネットワーク化された環境では、コンピューターに関して図示されるプログラムモジュール又はその一部は、リモートメモリ／記憶デバイス１３５０に記憶することができる。図示されるネットワーク接続は、例であり、コンピューター間に通信リンクを確立する他の手段を用い得ることが理解されるであろう。
【０１６０】
コンピューターは、無線通信において動作可能に配置される任意の無線デバイス又はエンティティ、例えばプリンター、スキャナー、デスクトップ及び／又はポータブルコンピューター、ポータブルデータアシスタント、通信衛星、無線で検出可能なタグに関連付けられる任意の機器又は場所（例えば、キオスク、ニューススタンド等）及び電話と通信するように動作可能である。これは、少なくともＷｉ−Ｆｉ及びＢｌｕｅｔｏｏｔｈ（商標）無線技術を含む。このようにして、通信は、従来のネットワーク又は単に少なくとも２つのデバイス間のアドホック通信の場合のような規定された構造であり得る。
【０１６１】
Ｗｉ−Ｆｉ、すなわちワイヤレスフィディリティにより、自宅の長椅子から、ホテルの部屋から又は仕事中に会議室から無線でインターネットに接続できるようになる。Ｗｉ−Ｆｉは、携帯電話において用いられるものに類似の無線技術であり、それにより、そのようなデバイス、例えばコンピューターが基地局の範囲内の屋内外いずれの場所にもデータを送信及び受信できるようになる。Ｗｉ−Ｆｉネットワークは、安全であり、信頼性があり、高速の無線接続性を提供するために、ＩＥＥＥ  ８０２．１１（ａ、ｂ、ｇ等）と呼ばれる無線技術を用いる。Ｗｉ−Ｆｉネットワークを用いて、コンピューターを互いに、インターネットに、且つ有線ネットワーク（ＩＥＥＥ  ８０２．３又はＥｔｈｅｒｎｅｔを用いる）に接続することができる。Ｗｉ−Ｆｉネットワークは、例えば、免許不要２．４ＧＨｚ及び６ＧＨｚ無線帯域において、９Ｍｂｐｓ（８０２．１１ａ）若しくは６４Ｍｂｐｓ（８０２．１１ｂ）データレートで動作するか、又は両方の帯域（デュアルバンド）を含む製品を用いて動作するため、ネットワークは、多くのオフィスにおいて用いられる基本１６ＢａｓｅＴ有線Ｅｔｈｅｒｎｅｔネットワークに類似の実世界性能を提供することができる。
【０１６２】
従来の４Ｇシステムとは区別される６Ｇの一態様は、ＮＲの使用である。ＮＲアーキテクチャは、ＲＡＣＨ手順に用いられるリソースの独立した構成のために複数の配置事例をサポートするように設計することができる。ＮＲは、ＬＴＥによって提供されるサービスよりも更にサービスを提供することができるため、本明細書において論述されるように、ＬＴＥとＮＲとの間の相互作用を容易にするように、ＬＴＥとＮＲとの長所及び短所を活用することによって効率性をもたらすことができる。
【０１６３】
本明細書全体にわたって「１つの実施形態」又は「一実施形態」と言及するとき、これは、その実施形態に関連して説明された特定の特徴、構造又は特性が少なくとも１つの実施形態に含まれることを意味する。従って、本明細書全体にわたる様々な箇所で「１つの実施形態では」、「１つの態様では」又は「一実施形態では」という文言が出現しても、必ずしも全てが同じ実施形態を指しているわけではない。更に、特定の特徴、構造又は特性は、１つ以上の実施形態において任意の好適な方法で組み合わせることができる。
【０１６４】
本開示において用いられるとき、幾つかの実施形態において、「構成要素」、「システム」、「インターフェース」等の用語は、コンピューター関連エンティティ又は１つ以上の特定の機能を有する運用装置に関連するエンティティを指すか又は含むことを意図しており、そのエンティティは、ハードウェア、ハードウェア及びソフトウェアの組み合わせ、ソフトウェア又は実行中のソフトウェア及び／若しくはファームウェアのいずれかであり得る。一例として、構成要素は、限定はしないが、プロセッサ上で実行されるプロセス、プロセッサ、オブジェクト、実行ファイル、実行スレッド、コンピューター実行可能命令、プログラム及び／又はコンピューターであり得る。例として、限定はしないが、サーバー上で実行されるアプリケーション及びサーバーの両方が構成要素であり得る。
【０１６５】
１つ以上の構成要素は、プロセス及び／又は実行スレッド内に常駐することができ、構成要素は、１つのコンピューター上に位置することができ、且つ／又は２つ以上のコンピューター間に分散させることができる。更に、これらの構成要素は、種々のデータ構造を記憶している種々のコンピューター可読媒体から実行することができる。構成要素は、１つ以上のデータパケット（例えば、ローカルシステム内において、分散システム内で別の構成要素と、且つ／又はインターネット等のネットワークにわたって信号を介して他のシステムと相互作用する１つの構成要素からのデータ）を含む信号に従うなど、ローカル及び／又はリモートプロセスを介して通信することができる。別の例として、構成要素は、１つ以上のプロセッサによって実行されるソフトウェアアプリケーション又はファームウェアアプリケーションによって動作する電気又は電子回路要素によって動作する機械部品によって提供される特定の機能を有する装置であり得る。ここで、プロセッサは、装置の内部又は外部にある可能性があり、ソフトウェア又はファームウェアアプリケーションの少なくとも一部を実行することができる。更なる別の例として、構成要素は、機械部品なしで電子構成要素を通して特定の機能を提供する装置であり得、その電子構成要素は、電子構成要素の機能を少なくとも部分的に与えるソフトウェア又はファームウェアを実行するために内部にプロセッサを含み得る。一態様では、構成要素は、例えば、クラウドコンピューティングシステム内の仮想マシンを介して電子構成要素をエミュレートすることができる。種々の構成要素が別々の構成要素として例示されてきたが、例示的な実施形態から逸脱することなく、複数の構成要素を単一の構成要素として実現できるか、又は単一の構成要素を複数の構成要素として実現できることが理解されるであろう。
【０１６６】
更に、「例」及び「例示的」という用語は、事例又は例示としての役割を果たすことを意図して本明細書において用いられる。「例」又は「例示的」として本明細書において説明される任意の実施形態又は設計は、必ずしも他の実施形態又は設計より好ましいか又は有利であると解釈されるべきではない。むしろ、例又は例示的という言葉を用いることは、概念を具体的に提示することを意図している。本出願において用いられるとき、「又は」という用語は、排他的な「又は」ではなく、包含的な「又は」を意味することを意図している。すなわち、別段の指示がない限り又は文脈において明らかでない限り、「ＸがＡ又はＢを利用する」は、自然な包含的置換のいずれかを意味することを意図している。すなわち、ＸがＡを利用するか、ＸがＢを利用するか、又はＸがＡ及びＢの両方を利用する場合、上記の事例のいずれでも「ＸがＡ又はＢを利用する」が満たされる。更に、本出願及び添付の特許請求の範囲において用いられるとき、冠詞「１つの（ａ）」及び「１つの（ａｎ）」は、別段の指示がない限り又は単数のものを対象とすることが文脈から明らかでない限り、一般に「１つ以上」を意味すると解釈されるべきである。
【０１６７】
更に、「モバイルデバイス機器」、「モバイル局」、「モバイル」、「加入者局」、「アクセス端末」、「端末」、「ハンドセット」、「通信デバイス」、「モバイルデバイス」等の用語（及び／又は類似の用語を表す用語）は、データ、制御、音声、ビデオ、サウンド、ゲーミング又は実質的に任意のデータストリーム若しくはシグナリングストリームを受信又は伝達するために、無線通信サービスの加入者又はモバイルデバイスによって利用される無線デバイスを指すことができる。上記の用語は、本明細書において且つ関連する図面を参照しながら同義で利用される。同様に、「アクセスポイント（ＡＰ）」、「基地局（ＢＳ）」、ＢＳ送受信機、ＢＳデバイス、セルサイト、セルサイトデバイス、「Ｎｏｄｅ  Ｂ（ＮＢ）」、「発展型Ｎｏｄｅ  Ｂ（ｅＮｏｄｅ  Ｂ）」、「ホームＮｏｄｅ  Ｂ（ＨＮＢ）」等の用語は、本出願において同義で利用され、１つ以上の加入者局との間でデータ、制御、音声、ビデオ、サウンド、ゲーミング又は実質的に任意のデータストリーム若しくはシグナリングストリームを送信及び／又は受信する無線ネットワーク構成要素又は電化製品を指す。データ及びシグナリングストリームは、パケット化された又はフレームベースのフローであり得る。
【０１６８】
更に、「デバイス」、「通信デバイス」、「モバイルデバイス」、「加入者」、「顧客エンティティ」、「消費者」、「顧客エンティティ」、「エンティティ」等の用語は、文脈上、それらの用語間を特に区別することが正当化されない限り、全体を通して同義で利用される。そのような用語は、人間エンティティを指すことができるか、又はシミュレートされたビジョン、音認識等を提供することができる人工知能（例えば、複雑な数学的表現に基づいて推論する能力）を通してサポートされる自動化された構成要素を指し得ることを理解されたい。
【０１６９】
本明細書において説明される実施形態は、限定はしないが、ワイヤレスフィディリティ（Ｗｉ−Ｆｉ）、モバイル通信用グローバルシステム（ＧＳＭ）、ユニバーサルモバイルテレコミュニケーションシステム（ＵＭＴＳ）、ワールドワイドインターオペラビリティフォーマイクロウェーブアクセス（ＷｉＭＡＸ）、拡張汎用パケット無線サービス（拡張ＧＰＲＳ）、第３世代パートナーシッププロジェクト（３ＧＰＰ）ロングタームエボリューション（ＬＴＥ）、第３世代パートナーシッププロジェクト２（３ＧＰＰ２）ウルトラモバイルブロードバンド（ＵＭＢ）、高速パケットアクセス（ＨＳＰＡ）、Ｚ−Ｗａｖｅ、Ｚｉｇｂｅｅ及び他の８０２．ＸＸ無線技術及び／又はレガシー電気通信技術を含む実質的に任意の無線通信技術において利用することができる。
【０１７０】
本明細書において説明される種々の態様は、Ｎｅｗ  Ｒａｄｉｏ（ＮＲ）に関することができ、Ｎｅｗ  Ｒａｄｉｏは、スタンドアローン無線アクセス技術又は例えばロングタームエボリューション（ＬＴＥ）等、別の無線アクセス技術によって支援される非スタンドアローン無線アクセス技術として展開することができる。本明細書において、種々の態様及び実施形態を６Ｇ、ユニバーサルモバイル電気通信システム（ＵＭＴＳ）及び／若しくはロングタームエボリューション（ＬＴＥ）又は他の次世代ネットワークに関連して説明してきたが、その技法を３Ｇ、４Ｇ又はＬＴＥシステムにおいても適用することができるため、開示される態様は、６Ｇ、ＵＭＴＳ実装形態及び／又はＬＴＥ実装形態に限定されないことに留意するべきである。例えば、開示される実施形態の態様又は特徴は、実質的に任意の無線通信技術において活用することができる。そのような無線通信技術は、ＵＭＴＳ、符号分割多重アクセス（ＣＤＭＡ）、Ｗｉ−Ｆｉ、ワールドワイドインターオペラビリティフォーマイクロウェーブアクセス（ＷｉＭＡＸ）、汎用パケット無線サービス（ＧＰＲＳ）、拡張ＧＰＲＳ、第３世代パートナーシッププロジェクト（３ＧＰＰ）、ＬＴＥ、第３世代パートナーシッププロジェクト２（３ＧＰＰ２）ウルトラモバイルブロードバンド（ＵＭＢ）、高速パケットアクセス（ＨＳＰＡ）、発展型高速パケットアクセス（ＨＳＰＡ＋）、高速ダウンリンクパケットアクセス（ＨＳＤＰＡ）、高速アップリンクパケットアクセス（ＨＳＵＰＡ）、Ｚｉｇｂｅｅ又は別のＩＥＥＥ  ８０２．ＸＸ技術を含むことができる。更に、本明細書において開示される実質的に全ての態様をレガシー電気通信技術において活用することができる。
【０１７１】
本明細書において用いられる場合、「５Ｇ」は、ＮＲアクセスと称することもできる。従って、６Ｇシステムのためのダウンリンク制御チャネルのリンク適応を容易にするシステム、方法及び／又は機械可読記憶媒体が望ましい。本明細書において用いられる場合、６Ｇネットワークの１つ以上の態様は、数万人のユーザーのためにサポートされる数十メガビット／秒（Ｍｂｐｓ）のデータレート、数十人のユーザー（例えば、同じオフィスフロアにいる数十人の労働者）に同時に提供される少なくとも１ギガビット／秒（Ｇｂｐｓ）、マッシブセンサー展開のためにサポートされる数十万の同時接続、４Ｇと比較して大幅に高められたスペクトル効率、４Ｇに対するカバレッジの改善、４Ｇと比較して高められたシグナリング効率及び／又はＬＴＥと比較して大幅に低減されたレイテンシーを含むことができるが、これらに限定されるものではない。
【０１７２】
６Ｇシステムのために２段階ダウンリンク制御チャネルを容易にするシステム、方法及び／又は機械可読記憶媒体が本明細書において提供される。ＬＴＥ、ロングタームエボリューションアドバンスト（ＬＴＥ−Ａ）、高速パケットアクセス（ＨＳＰＡ）等、レガシー無線システムは、ダウンリンク制御チャネルのために固定変調フォーマットを用いる。固定変調フォーマットは、ダウンリンク制御チャネルフォーマットが常に単一のタイプの変調（例えば、四位相偏移変調（ＱＰＳＫ））によって符号化され、固定コードレートを有することを暗示する。更に、前方誤り訂正（ＦＥＣ）エンコーダーは、レートマッチングによる１／３の単一の固定マザーコードレートを用いる。この設計は、チャネル統計を考慮に入れていない。例えば、ＢＳデバイスからモバイルデバイスへのチャネルが非常に良好である場合、制御チャネルは、この情報を用いて変調し、コードレートを調整することができず、それによりこの制御チャネルに不必要な電力を配分する。同様に、ＢＳからモバイルデバイスへのチャネルが不良である場合、モバイルデバイスは、固定変調及びコードレートのみでは、受信した情報を復号することができない場合があり得る。本明細書において用いられる場合、「推論する」又は「推論」という用語は、一般に、イベント及び／又はデータを介して捕捉された観測値の組からシステム、環境、ユーザー及び／又は意図について推理するプロセス若しくはそれらの状態を推論するプロセスを指す。取り込まれたデータ及び事象は、ユーザーデータ、デバイスデータ、環境データ、センサーからのデータ、センサーデータ、アプリケーションデータ、暗黙的データ、明示的データ等を含むことができる。推論を用いて、特定の文脈若しくはアクションを識別することができるか、又は例えばデータ及び事象の考慮に基づいて、関心状態にわたる確率分布を生成することができる。
【０１７３】
推論は、イベント及び／又はデータの組からより高いレベルのイベントを構成するのに用いられる技法も指すことができる。そのような推論は、イベントが時間的に近接して相関されるか否かを問わず、またイベント及びデータが１つ又は幾つかのイベント源及びデータ源からのものであるか否かを問わず、観測されたイベント及び／又は記憶されたイベントデータの組からの新たなイベント又は動作の構築をもたらす。種々の分類手続き及び／又は分類システム（例えば、サポートベクターマシン、ニューラルネットワーク、エキスパートシステム、ベイジアン信念ネットワーク、ファジー論理及びデータ融合エンジン）を、開示される主題と関連した自動的な及び／又は推論された動作の実行とともに用いることができる。
【０１７４】
更に、種々の実施形態は、標準的なプログラミング及び／又はエンジニアリング技法を用いて、開示される主題を実現するようにコンピューターを制御するソフトウェア、ファームウェア、ハードウェア又はその任意の組み合わせをもたらす方法、装置又は製品として実現することができる。本明細書において用いられる場合、「製品」という用語は、任意のコンピューター可読デバイス、機械可読デバイス、コンピューター可読キャリア、コンピューター可読媒体、機械可読媒体、コンピューター可読（又は機械可読）記憶／通信媒体からアクセス可能なコンピュータープログラムを含むことを意図している。例えば、コンピューター可読媒体は、限定はしないが、磁気記憶デバイス、例えばハードディスク、フロッピーディスク、磁気ストリップ、光ディスク（例えば、コンパクトディスク（ＣＤ）、デジタルビデオディスク（ＤＶＤ）、Ｂｌｕ−ｒａｙディスク（商標）（ＢＤ））、スマートカード、フラッシュメモリデバイス（例えば、カード、スティック、キードライブ）及び／若しくは記憶デバイスを模倣する仮想デバイス並びに／又は上記のコンピューター可読媒体の任意のものを含むことができる。当然のことながら、種々の実施形態の範囲及び趣旨から逸脱することなく、この構成に対する多くの変更形態がなされ得ることが当業者に認識されるであろう。
【０１７５】
要約書において記述されることを含む、本開示の例示される実施形態の上記の記述は、網羅的に述べることを意図するものではなく、開示される実施形態を開示されるのと全く同じ形態に限定することを意図するものでもない。例示のために、本明細書において具体的な実施形態及び例が記述されるが、当業者が認識できるような、そのような実施形態及び例の範囲内で考えられる種々の変更形態が可能である。
【０１７６】
これに関連して、本主題は、種々の実施形態及び対応する図に関連して本明細書において記述されてきたが、適用可能な場合、開示される主題から逸脱することなく、他の類似の実施形態を用いることができるか、又は開示される主題の同じ機能、類似の機能、代替機能又は代用機能を実行するために、記述される実施形態に対する変更形態及び追加形態がなされ得ることを理解されたい。従って、開示される主題は、本明細書において記述される任意の単一の実施形態に限定されるべきではなく、以下に添付の特許請求の範囲による広さ及び範囲内で解釈されるべきである。
【図１】
2022501932.tif 000010
【図２】
2022501932.tif 000011
【図３】
2022501932.tif 000012
【図４】
2022501932.tif 000013
【図５】
2022501932.tif 000014
【図６】
2022501932.tif 000015
【図７】
2022501932.tif 000016
【図８】
2022501932.tif 000017
【図９】
2022501932.tif 000018
【図１０】
2022501932.tif 000019
【図１１】
2022501932.tif 000020
【図１２】
2022501932.tif 000021
【図１３】
2022501932.tif 000022
【国際調査報告】
2022501932.tif 000023
2022501932.tif 000024
2022501932.tif 000025
2022501932.tif 000026